(57)【要約】無線送受信ユニット（ＷＴＲＵ）は、デュアルコネクティビティ（ＤＣ）コンテキストで動作することができる。ＲＲＣ＿ＩＮＡＣＴＩＶＥ状態にある間、ＷＴＲＵは、マスタセルグループ（ＭＣＧ）と関連付けることができるページングメッセージを、第１のセルから受信できる。ページングメッセージは、ＷＴＲＵが別のセル上においてページングメッセージに応答すべきであることを示すことができる。あるいは、ページングメッセージは、ＷＴＲＵのためのデータがＳＣＧベアラ上において利用可能であることを示すことができる。ＷＴＲＵは、１つまたは複数のセカンダリセルを含むことができる、セカンダリセルグループ（ＳＣＧ）リストから、第２のセル（例えば、第１のセル以外のセル）を選択できる。ＷＴＲＵは、第１のセルからページングメッセージを受信したのに基づいて、第２のセルとのランダムアクセスチャネル手順を開始することができる。ＷＴＲＵは、ＲＲＣ＿ＩＮＡＣＴＩＶＥ状態にある間、ＳＣＧベアラを介して、第２のセルからデータを受信できる。
2021503222.tif 000002
【特許請求の範囲】
【請求項１】
デュアルコネクティビティ（ＤＣ）コンテキストが可能な無線送受信ユニット（ＷＴＲＵ）であって、少なくとも、
第１のセルからページングメッセージを受信し、
１つまたは複数のセカンダリセルを含むセカンダリセルグループ（ＳＣＧ）リストから、第２のセルを選択し、
前記第１のセルから受信した前記ページングメッセージに応答して、前記第２のセルとのランダムアクセスチャネル（ＲＡＣＨ）手順を開始する
よう構成されたプロセッサを備えたＷＴＲＵ。
【請求項２】
前記第１のセルからの前記ページングメッセージは、データがＳＣＧベアラを介して前記ＷＴＲＵに送信されるべきであることを示し、前記プロセッサは、前記第２のセルを介して、前記データを受信するようさらに構成された請求項１に記載のＷＴＲＵ。
【請求項３】
前記データは、前記ＷＴＲＵがＲＲＣ＿ＩＮＡＣＴＩＶＥ状態にある間、前記第２のセルを介して受信される請求項２に記載のＷＴＲＵ。
【請求項４】
前記プロセッサは、
前記ＳＣＧリストと関連付けられた前記１つまたは複数のセカンダリセルの各々についての品質メトリックを決定し、
前記１つまたは複数のセカンダリセルの各々についての前記品質メトリックがしきい値を下回る条件で、前記第１のセルを介して、ＲＲＣ＿ＣＯＮＮＥＣＴＥＤ状態に遷移し、
１つまたは複数のセカンダリセルを含む新しいＳＣＧリストのインジケーションを受信する
ようさらに構成された請求項１に記載のＷＴＲＵ。
【請求項５】
前記プロセッサは、前記ＷＴＲＵがＲＲＣ＿ＩＮＡＣＴＩＶＥ状態に遷移するときに、前記ＳＣＧリストのインジケーションを受信するようさらに構成された請求項１に記載のＷＴＲＵ。
【請求項６】
前記プロセッサは、前記１つまたは複数のセカンダリセルのうちの少なくとも１つと関連付けられたシステム情報（ＳＩ）を求める要求を示す、動的な要求を、前記第１のセルに送信するようさらに構成された請求項１に記載のＷＴＲＵ。
【請求項７】
前記プロセッサは、前記第１のセルから受信した前記ページングメッセージに少なくとも基づいて、前記第１のセルを介して、ＲＲＣ＿ＣＯＮＮＥＣＴＥＤ状態に遷移するようさらに構成された請求項１に記載のＷＴＲＵ。
【請求項８】
前記第１のセルは、マスタセルグループ（ＭＣＧ）と関連付けられる請求項１に記載のＷＴＲＵ。
【請求項９】
前記１つまたは複数のセカンダリセルは、同じより低位のレイヤ構成と関連付けられる請求項１に記載のＷＴＲＵ。
【請求項１０】
前記セカンダリセルグループ（ＳＣＧ）リストからの前記第２のセルの選択は、測定結果に基づく請求項１に記載のＷＴＲＵ。
【請求項１１】
前記第１のセルからの前記ページングメッセージは、前記ＷＴＲＵが前記ＳＣＧリストと関連付けられた別のセル上において前記ページングメッセージに応答すべきであることを示す請求項１に記載のＷＴＲＵ。
【請求項１２】
第１のセルからページングメッセージを受信するステップと、
１つまたは複数のセカンダリセルを含むセカンダリセルグループ（ＳＣＧ）リストから、第２のセルを選択するステップと、
前記第１のセルから受信した前記ページングメッセージに応答して、前記第２のセルとのランダムアクセスチャネル（ＲＡＣＨ）手順を開始するステップと
を備える方法。
【請求項１３】
前記第１のセルからの前記ページングメッセージは、データがＳＣＧベアラを介してＷＴＲＵに送信されるべきであることを示し、プロセッサは、前記第２のセルを介して、前記データを受信するようにさらに構成される請求項１２に記載の方法。
【請求項１４】
前記データは、ＲＲＣ＿ＩＮＡＣＴＩＶＥ状態にある間、前記第２のセルを介して受信される請求項１３に記載の方法。
【請求項１５】
前記ＳＣＧリストと関連付けられた前記１つまたは複数のセカンダリセルの各々についての品質メトリックを決定するステップと、
前記１つまたは複数のセカンダリセルの各々についての前記品質メトリックがしきい値を下回る条件で、前記第１のセルを介して、ＲＲＣ＿ＣＯＮＮＥＣＴＥＤ状態に遷移するステップと、
１つまたは複数のセカンダリセルを含む新しいＳＣＧリストのインジケーションを受信するステップと
をさらに備える請求項１２に記載の方法。
【請求項１６】
ＲＲＣ＿ＩＮＡＣＴＩＶＥ状態に遷移するときに、前記ＳＣＧリストのインジケーションを受信するステップをさらに備える請求項１２に記載の方法。
【請求項１７】
前記１つまたは複数のセカンダリセルのうちの少なくとも１つと関連付けられたシステム情報（ＳＩ）を求める要求を示す、動的な要求を、前記第１のセルに送信するステップをさらに備える請求項１２に記載の方法。
【請求項１８】
前記第１のセルから受信した前記ページングメッセージに少なくとも基づいて、前記第１のセルを介して、ＲＲＣ＿ＣＯＮＮＥＣＴＥＤ状態に遷移するステップをさらに備える請求項１２に記載の方法。
【請求項１９】
前記第１のセルは、マスタセルグループ（ＭＣＧ）と関連付けられる請求項１２に記載の方法。
【請求項２０】
前記１つまたは複数のセカンダリセルは、同じより低位のレイヤ構成と関連付けられる請求項１２に記載の方法。
【発明の詳細な説明】
【技術分野】
【０００１】
非アクティブ状態におけるデュアルコネクティビティの運用に関する。
【背景技術】
【０００２】
関連出願の相互参照
本出願は、それらの全体が参照によって本明細書に組み込まれる、２０１７年１１月１４日に出願された米国特許仮出願第６２／５８５９４４号、および２０１８年２月１２日に出願された米国特許仮出願第６２／６２９３８２号に基づく優先権を主張する。
【０００３】
無線通信を使用するモバイル通信は、進化し続けている。第５世代は、５Ｇと呼ばれることがある。モバイル通信の先の（レガシ）世代は、例えば、第４世代（４Ｇ）ロングタームエボリューション（ＬＴＥ）とすることができる。
【発明の概要】
【発明が解決しようとする課題】
【０００４】
非アクティブ状態におけるデュアルコネクティビティの運用を提供する。
【課題を解決するための手段】
【０００５】
無線送受信ユニット（ＷＴＲＵ）は、デュアルコネクティビティ（ＤＣ：dual connectivity）モードで動作することができる。デュアルコネクティビティにある間、ＷＴＲＵは、マスタセルグループ（ＭＣＧ:Master Cell Group）とセカンダリセルグループ（ＳＣＧ:Secondary Cell Group）とを用いて、通信することができる。ＷＴＲＵは、無線リソース制御（ＲＲＣ）非アクティブ（ＲＲＣ＿ＩＮＡＣＴＩＶＥ）状態、および／またはＲＲＣ接続（ＲＲＣ＿ＣＯＮＮＥＣＴＥＤ）状態など、１つまたは複数の状態で動作することができる。
【０００６】
ＲＲＣ＿ＩＮＡＣＴＩＶＥ状態にある間、ＷＴＲＵは、マスタセルグループ（ＭＣＧ）と関連付けることができる、第１のセルから、ページングメッセージを受信することができる。ページングメッセージは、ＷＴＲＵが別のセル上においてページングメッセージに応答すべきであることを示すことができる。ページングメッセージは、ＷＴＲＵのためのデータがＳＣＧベアラ上において利用可能であることを示すことができる。ＷＴＲＵは、１つまたは複数のセカンダリセルを含むことができる、セカンダリセルグループ（ＳＣＧ）リストから、第２のセル（例えば、第１のセル以外のセル）を選択することができる。１つまたは複数のセカンダリセルは、同じより低位のレイヤ構成と関連付けることができる（例えば、ＳＣＧのセカンダリセルは、共通の物理レイヤ構成を共用することができる）。測定結果に基づいて、セカンダリセルを選択することができ、例えば、ＳＣＧリスト上の最強または最良のセルを選択することができる。ＷＴＲＵは、第１のセルからページングメッセージを受信したのに基づいて、第２のセルとのランダムアクセスチャネル（ＲＡＣＨ）手順を開始することができる。ＷＴＲＵは、ＲＲＣ＿ＩＮＡＣＴＩＶＥ状態にある間、ＳＣＧベアラを介して、第２のセルからデータを受信することができる。
【０００７】
ＷＴＲＵは、ＲＲＣ＿ＩＮＡＣＴＩＶＥ状態にある間、モビリティ関連手順を実行することができる。ＷＴＲＵは、ＲＲＣ＿ＩＮＡＣＴＩＶＥ状態にある間、ＳＣＧリスト上の１つまたは複数のセカンダリセルについての品質メトリックを（例えば、定期的に）決定することができる。ＷＴＲＵは、１つまたは複数のセルの各々についての品質メトリックを、しきい値と比較することができる。１つまたは複数のセルの各々についての品質メトリックが、しきい値を上回るとき、ＷＴＲＵは、ＲＲＣ＿ＣＯＮＮＥＣＴＥＤ状態に遷移することができる。ＲＲＣ＿ＣＯＮＮＥＣＴＥＤ状態に遷移した後、ＷＴＲＵは、更新されたＳＣＧリストを受信することができる。
【０００８】
ＷＴＲＵがＲＲＣ＿ＩＮＡＣＴＩＶＥ状態を運用するための、システム、方法、および手段が、開示される。ＲＲＣ＿ＩＮＡＣＴＩＶＥ状態に適用可能なＤＣ構成についてのシステム情報（ＳＩ）を提供することができる。ＷＴＲＵが、ＲＲＣ＿ＩＮＡＣＴＩＶＥ状態にある間、ＷＴＲＵは、例えば、潜在的なプライマリセカンダリセル（ＰＳＣｅｌｌ）のリストについての、例えば、セカンダリノード（ＳＮ:Secondary Node）モビリティ関連トリガに基づいて、ＲＲＣ＿ＣＯＮＮＥＣＴＥＤ状態に遷移すること、またはエリア更新手順を実行することができる。手順は、潜在的なＰＳＣｅｌｌのリストに関連する測定イベントをサポートすることができる。ＷＴＲＵは、例えば、状態遷移またはエリア更新の間に、ＳＮ関連測定情報、およびコンテキスト更新／削除についてのインジケーションを報告することができる。ＷＴＲＵは、ＳＮからのダウンリンク（ＤＬ）データ送信を開始することができる、ページングを受信することができる。ＷＴＲＵは、ＲＲＣ＿ＩＮＡＣＴＩＶＥ状態にある間、制御／データ（例えば、関連付けられたトリガ条件）をＳＮに送信することができる。
【０００９】
ＷＴＲＵは、構成されたＳＣｅｌｌリストのうちのセカンダリセル（ＳＣｅｌｌ）のセットと関連付けられたＳＩを、要求および／または受信することができる。ＷＴＲＵは、ＳＣｅｌｌによってブロードキャストされたＳＣｅｌｌ  ＳＩと関連付けることができる、妥当性情報を、ＰＣｅｌｌに要求および／またはＰＣｅｌｌから受信することができる。ＷＴＲＵは、ＳＣｅｌｌに対して適用可能なアクセスパラメータ（例えば、アップリンク（ＵＬ）グラント(grant)、タイミングオフセット、および／またはＲＡＣＨパラメータなど）を、例えば、ページングメッセージで、ＰＣｅｌｌから受信することができる。ＷＴＲＵは、専用構成（dedicated configurations）のセットを用いるように、構成（例えば、事前構成）することができる。ＷＴＲＵは、システム情報ブロック（ＳＩＢ）内のシグナリングに基づいて、ＳＣｅｌｌに対して適用可能な構成を決定することができる。ＷＴＲＵは、ＳＣｅｌｌへのアクセス（例えば、すべてのＳＣｅｌｌへのあるアクセス）のための構成（例えば、デフォルト専用構成）を使用することができる。ＷＴＲＵは、ＳＣｅｌｌに（例えば、直接的に）非デフォルト専用構成を要求することができる。
【００１０】
図中の同じ参照番号は、同じ要素を示す。
【図面の簡単な説明】
【００１１】
【図１Ａ】１つ以上の開示される実施形態を実施できる例示的通信システム図である。
【図１Ｂ】実施形態による図１Ａの通信システム内で使用できる、例示的無線送受信ユニット（ＷＴＲＵ）のシステム図である。
【図１Ｃ】実施形態による図１Ａの通信システム内で使用できる、例示的な無線アクセスネットワーク（ＲＡＮ）およびコアネットワーク（ＣＮ）のシステム図である。
【図１Ｄ】実施形態による図１Ａの通信システム内で使用できる、さらなる例示的なＲＡＮおよびＣＮを例示するシステム図である。
【図２】ＲＲＣ＿ＩＮＡＣＴＩＶＥにとどまっている間に、セカンダリセルグループ（ＳＣＧ）セル上において、ＤＬデータを受信する例を示す図である。
【図３】ＲＲＣ＿ＩＮＡＣＴＩＶＥにとどまっている間に、ＳＣＧセル上において、ＤＬデータを受信する例を示す図である。
【発明を実施するための形態】
【００１２】
説明的な実施形態についての詳細な説明が、これから様々な図を参照して行われる。この説明は、可能な実施の詳細な例を提供するが、細部は、例示的であることが意図されており、本出願の範囲を決して限定しないことに留意されたい。
【００１３】
表１は、本明細書において使用されることがある頭字語のリストである。
【００１４】
【表１−１】
2021503222.tif 000003
【００１５】
【表１−２】
2021503222.tif 000004
【００１６】
【表１−３】
2021503222.tif 000005
【００１７】
図１Ａは、１つまたは複数の開示される実施形態を実施できる、例示的な通信システム１００を例示する図である。通信システム１００は、音声、データ、ビデオ、メッセージング、ブロードキャストなどのコンテンツを複数の無線ユーザに提供する、多元接続システムであることができる。通信システム１００は、複数の無線ユーザが、無線帯域幅を含むシステムリソースの共用を通して、そのようなコンテンツにアクセスすることを可能にすることができる。例えば、通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）、ゼロテールユニークワードＤＦＴ拡散ＯＦＤＭ（ＺＴ  ＵＷ  ＤＴＳ−ｓ  ＯＦＤＭ）、ユニークワードＯＦＤＭ（ＵＷ−ＯＦＤＭ）、リソースブロックフィルタードＯＦＤＭ、およびフィルタバンクマルチキャリア（ＦＢＭＣ）など、１つまたは複数のチャネルアクセス方法を利用することができる。
【００１８】
図１Ａに示されるように、通信システム１００は、無線送受信ユニット（ＷＴＲＵ）１０２ａ、１０２ｂ、１０２ｃ、１０２ｄと、ＲＡＮ１０４／１１３と、ＣＮ１０６／１１５と、公衆交換電話網（ＰＳＴＮ）１０８と、インターネット１１０と、他のネットワーク１１２とを含むことができるが、開示される実施形態は、任意の数のＷＴＲＵ、基地局、ネットワーク、および／またはネットワーク要素を企図していることが理解されよう。ＷＴＲＵ１０２ａ、１０２ｂ、１０２ｃ、１０２ｄの各々は、無線環境において動作および／または通信するように構成された任意のタイプのデバイスであることができる。例として、それのどれもが、「局」および／または「ＳＴＡ」と呼ばれることがある、ＷＴＲＵ１０２ａ、１０２ｂ、１０２ｃ、１０２ｄは、無線信号を送信および／または受信するように構成することができ、ユーザ機器（ＵＥ）、移動局、固定または移動加入者ユニット、サブスクリプションベースのユニット、ページャ、セルラ電話、パーソナルデジタルアシスタント（ＰＤＡ）、スマートフォン、ラップトップ、ネットブック、パーソナルコンピュータ、無線センサ、ホットスポットまたはＭｉ−Ｆｉデバイス、モノのインターネット（ＩｏＴ）デバイス、ウォッチまたは他のウェアラブル、ヘッドマウントディスプレイ（ＨＭＤ）、乗物、ドローン、医療用デバイスおよびアプリケーション（例えば、遠隔手術）、工業用デバイスおよびアプリケーション（例えば、工業用および／または自動化された処理チェーン状況において動作するロボットおよび／または他の無線デバイス）、家電デバイス、ならびに商業用および／または工業用無線ネットワーク上において動作するデバイスなどを含むことができる。ＷＴＲＵ１０２ａ、１０２ｂ、１０２ｃ、１０２ｄのいずれも、交換可能に、ＵＥと呼ばれることがある。
【００１９】
通信システム１００は、基地局１１４ａおよび／または基地局１１４ｂも含むことができる。基地局１１４ａ、１１４ｂの各々は、ＣＮ１０６／１１５、インターネット１１０、および／または他のネットワーク１１２など、１つまたは複数の通信ネットワークへのアクセスを容易にするために、ＷＴＲＵ１０２ａ、１０２ｂ、１０２ｃ、１０２ｄのうちの少なくとも１つと無線でインターフェースをとるように構成された任意のタイプのデバイスであることができる。例として、基地局１１４ａ、１１４ｂは、基地送受信機局（ＢＴＳ）、ノードＢ、ｅノードＢ、ホームノードＢ、ホームｅノードＢ、ｇＮＢ、ＮＲノードＢ、サイトコントローラ、アクセスポイント（ＡＰ）、および無線ルータなどであることができる。基地局１１４ａ、１１４ｂは、各々が、単一の要素として描かれているが、基地局１１４ａ、１１４ｂは、任意の数の相互接続された基地局および／またはネットワーク要素を含むことができることが理解されよう。
【００２０】
基地局１１４ａは、ＲＡＮ１０４／１１３の一部であることができ、ＲＡＮ１０４／１１３は、他の基地局、および／または基地局コントローラ（ＢＳＣ）、無線ネットワークコントローラ（ＲＮＣ）、中継ノードなどのネットワーク要素（図示されず）も含むことができる。基地局１１４ａおよび／または基地局１１４ｂは、セル（図示されず）と呼ばれることがある、１つまたは複数のキャリア周波数上において、無線信号を送信および／または受信するように構成することができる。これらの周波数は、免許要スペクトル、免許不要スペクトル、または免許要スペクトルと免許不要スペクトルとの組み合わせの中にあることができる。セルは、相対的に一定であることができる、または時間とともに変化することができる特定の地理的エリアに、無線サービス用のカバレージを提供することができる。セルは、さらに、セルセクタに分割することができる。例えば、基地局１１４ａと関連付けられたセルは、３つのセクタに分割することができる。したがって、一実施形態においては、基地局１１４ａは、送受信機を３つ、すなわち、セルの各セクタに対して１つずつ含むことができる。実施形態においては、基地局１１４ａは、多入力多出力（ＭＩＭＯ）技術を利用することができ、セルの各セクタに対して複数の送受信機を利用することができる。例えば、所望の空間方向において信号を送信および／または受信するために、ビームフォーミングを使用することができる。
【００２１】
基地局１１４ａ、１１４ｂは、エアインターフェース１１６上において、ＷＴＲＵ１０２ａ、１０２ｂ、１０２ｃ、１０２ｄのうちの１つまたは複数と通信することができ、エアインターフェース１１６は、任意の適切な無線通信リンク（例えば、無線周波（ＲＦ）、マイクロ波、センチメートル波、マイクロメートル波、赤外線（ＩＲ）、紫外線（ＵＶ）、可視光など）であることができる。エアインターフェース１１６は、任意の適切な無線アクセス技術（ＲＡＴ）を使用して、確立することができる。
【００２２】
より具体的には、上で言及されたように、通信システム１００は、多元接続システムであることができ、ＣＤＭＡ、ＴＤＭＡ、ＦＤＭＡ、ＯＦＤＭＡ、およびＳＣ−ＦＤＭＡなど、１つまたは複数のチャネルアクセス方式を利用することができる。例えば、ＲＡＮ１０４／１１３内の基地局１１４ａと、ＷＴＲＵ１０２ａ、１０２ｂ、１０２ｃは、広帯域ＣＤＭＡ（ＷＣＤＭＡ）を使用して、エアインターフェース１１５／１１６／１１７を確立することができる、ユニバーサル移動体通信システム（ＵＭＴＳ）地上無線アクセス（ＵＴＲＡ）などの無線技術を実施することができる。ＷＣＤＭＡは、高速パケットアクセス（ＨＳＰＡ）および／または進化型ＨＳＰＡ（ＨＳＰＡ＋）などの通信プロトコルを含むことができる。ＨＳＰＡは、高速ダウンリンク（ＤＬ）パケットアクセス（ＨＳＤＰＡ）、および／または高速アップリンク（ＵＬ）パケットアクセス（ＨＳＵＰＡ）を含むことができる。
【００２３】
実施形態においては、基地局１１４ａと、ＷＴＲＵ１０２ａ、１０２ｂ、１０２ｃは、ロングタームエボリューション（ＬＴＥ）、および／またはＬＴＥアドバンスト（ＬＴＥ−Ａ）、および／またはＬＴＥアドバンストプロ（ＬＴＥ−Ａ  Ｐｒｏ）を使用して、エアインターフェース１１６を確立することができる、進化型ＵＭＴＳ地上無線アクセス（Ｅ−ＵＴＲＡ）などの無線技術を実施することができる。
【００２４】
実施形態においては、基地局１１４ａと、ＷＴＲＵ１０２ａ、１０２ｂ、１０２ｃは、ニューラジオ（ＮＲ）を使用して、エアインターフェース１１６を確立することができる、ＮＲ無線アクセスなどの無線技術を実施することができる。
【００２５】
実施形態においては、基地局１１４ａと、ＷＴＲＵ１０２ａ、１０２ｂ、１０２ｃは、複数の無線アクセス技術を実施することができる。例えば、基地局１１４ａと、ＷＴＲＵ１０２ａ、１０２ｂ、１０２ｃは、例えば、デュアルコネクティビティ（ＤＣ）原理を使用して、ＬＴＥ無線アクセスと、ＮＲ無線アクセスとを一緒に実施することができる。したがって、ＷＴＲＵ１０２ａ、１０２ｂ、１０２ｃによって利用されるエアインターフェースは、複数のタイプの無線アクセス技術、ならびに／または複数のタイプの基地局（例えば、ｅＮＢおよびｇＮＢ）に／から送信される送信によって特徴付けることができる。
【００２６】
他の実施形態においては、基地局１１４ａと、ＷＴＲＵ１０２ａ、１０２ｂ、１０２ｃは、ＩＥＥＥ８０２．１１（すなわち、ワイヤレスフィデリティ（ＷｉＦｉ））、ＩＥＥＥ８０２．１６（すなわち、マイクロ波アクセス用世界的相互運用性（ＷｉＭＡＸ））、ＣＤＭＡ２０００、ＣＤＭＡ２０００  １Ｘ、ＣＤＭＡ２０００  ＥＶ−ＤＯ、暫定標準２０００（ＩＳ−２０００）、暫定標準９５（ＩＳ−９５）、暫定標準８５６（ＩＳ−８５６）、移動体通信用グローバルシステム（ＧＳＭ）、ＧＳＭエボリューション用高速データレート（ＥＤＧＥ）、およびＧＳＭ  ＥＤＧＥ（ＧＥＲＡＮ）などの無線技術を実施することができる。
【００２７】
図１Ａにおける基地局１１４ｂは、例えば、無線ルータ、ホームノードＢ、ホームｅノードＢ、またはアクセスポイントであることができ、事業所、自宅、乗物、キャンパス、産業用施設、（例えば、ドローンによって使用される）エアコリド、および車道など、局所化されたエリアにおける無線接続性を容易にするために、任意の適切なＲＡＴを利用することができる。一実施形態においては、基地局１１４ｂと、ＷＴＲＵ１０２ｃ、１０２ｄは、ＩＥＥＥ８０２．１１などの無線技術を実施して、無線ローカルエリアネットワーク（ＷＬＡＮ）を確立することができる。実施形態においては、基地局１１４ｂと、ＷＴＲＵ１０２ｃ、１０２ｄは、ＩＥＥＥ８０２．１５などの無線技術を実施して、無線パーソナルエリアネットワーク（ＷＰＡＮ）を確立することができる。また別の実施形態においては、基地局１１４ｂと、ＷＴＲＵ１０２ｃ、１０２ｄは、セルラベースのＲＡＴ（例えば、ＷＣＤＭＡ、ＣＤＭＡ２０００、ＧＳＭ、ＬＴＥ、ＬＴＥ−Ａ、ＬＴＥ−Ａ  Ｐｒｏ、ＮＲなど）を利用して、ピコセルまたはフェムトセルを確立することができる。図１Ａに示されるように、基地局１１４ｂは、インターネット１１０への直接的な接続を有することができる。したがって、基地局１１４ｂは、ＣＮ１０６／１１５を介してインターネット１１０にアクセスする必要がないことがある。
【００２８】
ＲＡＮ１０４／１１３は、ＣＮ１０６／１１５と通信することができ、ＣＮ１０６／１１５は、音声、データ、アプリケーション、および／またはボイスオーバインターネットプロトコル（ＶｏＩＰ）サービスを、ＷＴＲＵ１０２ａ、１０２ｂ、１０２ｃ、１０２ｄのうちの１つまたは複数に提供するように構成された任意のタイプのネットワークであることができる。データは、異なるスループット要件、遅延要件、エラー耐性要件、信頼性要件、データスループット要件、およびモビリティ要件など、様々なサービス品質（ＱｏＳ）要件を有することができる。ＣＮ１０６／１１５は、呼制御、ビリングサービス、モバイルロケーションベースのサービス、プリペイド発呼、インターネット接続性、ビデオ配信などを提供することができ、および／またはユーザ認証など、高レベルセキュリティ機能を実行することができる。図１Ａには示されていないが、ＲＡＮ１０４／１１３および／またはＣＮ１０６／１１５は、ＲＡＮ１０４／１１３と同じＲＡＴまたは異なるＲＡＴを利用する他のＲＡＮと直接的または間接的通信を行うことができることが理解されよう。例えば、ＮＲ無線技術を利用していることがあるＲＡＮ１０４／１１３に接続されていることに加えて、ＣＮ１０６／１１５は、ＧＳＭ、ＵＭＴＳ、ＣＤＭＡ２０００、ＷｉＭＡＸ、Ｅ−ＵＴＲＡ、またはＷｉＦｉ無線技術を利用する別のＲＡＮ（図示されず）とも通信することができる。
【００２９】
ＣＮ１０６／１１５は、ＷＴＲＵ１０２ａ、１０２ｂ、１０２ｃ、１０２ｄが、ＰＳＴＮ１０８、インターネット１１０、および／または他のネットワーク１１２にアクセスするためのゲートウェイとしての役割も果たすことができる。ＰＳＴＮ１０８は、基本電話サービス（ＰＯＴＳ）を提供する、回線交換電話網を含むことができる。インターネット１１０は、ＴＣＰ／ＩＰインターネットプロトコルスイート内の伝送制御プロトコル（ＴＣＰ）、ユーザデータグラムプロトコル（ＵＤＰ）、および／またはインターネットプロトコル（ＩＰ）など、共通の通信プロトコルを使用する、相互接続されたコンピュータネットワークおよびデバイスからなる地球規模のシステムを含むことができる。ネットワーク１１２は、他のサービスプロバイダによって所有および／または運営される、有線および／または無線通信ネットワークを含むことができる。例えば、ネットワーク１１２は、ＲＡＮ１０４／１１３と同じＲＡＴまたは異なるＲＡＴを利用することができる１つまたは複数のＲＡＮに接続された、別のＣＮを含むことができる。
【００３０】
通信システム１００内のＷＴＲＵ１０２ａ、１０２ｂ、１０２ｃ、１０２ｄのうちのいくつかまたはすべては、マルチモード機能を含むことができる（例えば、ＷＴＲＵ１０２ａ、１０２ｂ、１０２ｃ、１０２ｄは、異なる無線リンク上において、異なる無線ネットワークと通信するための、複数の送受信機を含むことができる）。例えば、図１Ａに示されるＷＴＲＵ１０２ｃは、セルラベースの無線技術を利用することができる基地局１１４ａと通信するように、またＩＥＥＥ８０２無線技術を利用することができる基地局１１４ｂと通信するように構成することができる。
【００３１】
図１Ｂは、例示的なＷＴＲＵ１０２を例示するシステム図である。図１Ｂに示されるように、ＷＴＲＵ１０２は、とりわけ、プロセッサ１１８、送受信機１２０、送信／受信要素１２２、スピーカ／マイクロフォン１２４、キーパッド１２６、ディスプレイ／タッチパッド１２８、非リムーバブルメモリ１３０、リムーバブルメモリ１３２、電源１３４、全地球測位システム（ＧＰＳ）チップセット１３６、および／または他の周辺機器１３８を含むことができる。ＷＴＲＵ１０２は、実施形態との整合性を保ちながら、上記の要素の任意のサブコンビネーションを含むことができることが理解されよう。
【００３２】
プロセッサ１１８は、汎用プロセッサ、専用プロセッサ、従来型プロセッサ、デジタル信号プロセッサ（ＤＳＰ）、複数のマイクロプロセッサ、ＤＳＰコアと連携する１つまたは複数のマイクロプロセッサ、コントローラ、マイクロコントローラ、特定用途向け集積回路（ＡＳＩＣ）、フィールドプログラマブルゲートアレイ（ＦＰＧＡ）回路、他の任意のタイプの集積回路（ＩＣ）、および状態機械などであることができる。プロセッサ１１８は、信号符号化、データ処理、電力制御、入力／出力処理、および／またはＷＴＲＵ１０２が無線環境において動作することを可能にする他の任意の機能性を実行することができる。プロセッサ１１８は、送受信機１２０に結合することができ、送受信機１２０は、送信／受信要素１２２に結合することができる。図１Ｂは、プロセッサ１１８と送受信機１２０を別個の構成要素として描いているが、プロセッサ１１８と送受信機１２０は、電子パッケージまたはチップ内に一緒に統合することができることが理解されよう。
【００３３】
送信／受信要素１２２は、エアインターフェース１１６上において、基地局（例えば、基地局１１４ａ）に信号を送信し、または基地局から信号を受信するように構成することができる。例えば、一実施形態においては、送信／受信要素１２２は、ＲＦ信号を送信および／または受信するように構成されたアンテナであることができる。実施形態においては、送信／受信要素１２２は、例えば、ＩＲ、ＵＶ、または可視光信号を送信および／または受信するように構成された放射器／検出器であることができる。また別の実施形態においては、送信／受信要素１２２は、ＲＦ信号および光信号の両方を送信および／または受信するように構成することができる。送信／受信要素１２２は、無線信号の任意の組み合わせを送信および／または受信するように構成することができることが理解されよう。
【００３４】
図１Ｂにおいては、送信／受信要素１２２は、単一の要素として描かれているが、ＷＴＲＵ１０２は、任意の数の送信／受信要素１２２を含むことができる。より具体的には、ＷＴＲＵ１０２は、ＭＩＭＯ技術を利用することができる。したがって、一実施形態においては、ＷＴＲＵ１０２は、エアインターフェース１１６上において無線信号を送信および受信するための２つ以上の送信／受信要素１２２（例えば、複数のアンテナ）を含むことができる。
【００３５】
送受信機１２０は、送信／受信要素１２２によって送信されることになる信号を変調し、送信／受信要素１２２によって受信された信号を復調するように構成することができる。上で言及されたように、ＷＴＲＵ１０２は、マルチモード機能を有することができる。したがって、送受信機１２０は、ＷＴＲＵ１０２が、例えば、ＮＲおよびＩＥＥＥ８０２．１１など、複数のＲＡＴを介して通信することを可能にするための、複数の送受信機を含むことができる。
【００３６】
ＷＴＲＵ１０２のプロセッサ１１８は、スピーカ／マイクロフォン１２４、キーパッド１２６、および／またはディスプレイ／タッチパッド１２８（例えば、液晶表示（ＬＣＤ）ディスプレイユニットもしくは有機発光ダイオード（ＯＬＥＤ）ディスプレイユニット）に結合することができ、それらからユーザ入力データを受信することができる。プロセッサ１１８は、スピーカ／マイクロフォン１２４、キーパッド１２６、および／またはディスプレイ／タッチパッド１２８にユーザデータを出力することもできる。加えて、プロセッサ１１８は、非リムーバブルメモリ１３０および／またはリムーバブルメモリ１３２など、任意のタイプの適切なメモリから情報を入手することができ、それらにデータを記憶することができる。非リムーバブルメモリ１３０は、ランダムアクセスメモリ（ＲＡＭ）、リードオンリメモリ（ＲＯＭ）、ハードディスク、または他の任意のタイプのメモリ記憶デバイスを含むことができる。リムーバブルメモリ１３２は、加入者識別モジュール（ＳＩＭ）カード、メモリスティック、およびセキュアデジタル（ＳＤ）メモリカードなどを含むことができる。他の実施形態においては、プロセッサ１１８は、サーバまたはホームコンピュータ（図示されず）上などに配置された、ＷＴＲＵ１０２上に物理的に配置されていないメモリから情報を入手することができ、それらにデータを記憶することができる。
【００３７】
プロセッサ１１８は、電源１３４から電力を受け取ることができ、ＷＴＲＵ１０２内の他の構成要素に電力を分配するように、および／またはそれらへの電力を制御するように構成することができる。電源１３４は、ＷＴＲＵ１０２に給電するための任意の適切なデバイスであることができる。例えば、電源１３４は、１つまたは複数の乾電池（例えば、ニッケル−カドミウム（ＮｉＣｄ）、ニッケル−亜鉛（ＮｉＺｎ）、ニッケル水素（ＮｉＭＨ）、リチウム−イオン（Ｌｉ−ｉｏｎ）など）、太陽電池、および燃料電池などを含むことができる。
【００３８】
プロセッサ１１８は、ＧＰＳチップセット１３６にも結合することができ、ＧＰＳチップセット１３６は、ＷＴＲＵ１０２の現在ロケーションに関するロケーション情報（例えば、経度および緯度）を提供するように構成することができる。ＧＰＳチップセット１３６からの情報に加えて、またはそれの代わりに、ＷＴＲＵ１０２は、基地局（例えば、基地局１１４ａ、１１４ｂ）からエアインターフェース１１６上においてロケーション情報を受信することができ、および／または２つ以上の近くの基地局から受信している信号のタイミングに基づいて、自らのロケーションを決定することができる。ＷＴＲＵ１０２は、実施形態との整合性を保ちながら、任意の適切なロケーション決定方法を用いて、ロケーション情報を獲得することができることが理解されよう。
【００３９】
プロセッサ１１８は、さらに他の周辺機器１３８に結合することができ、他の周辺機器１３８は、追加の特徴、機能性、および／または有線もしくは無線接続性を提供する、１つまたは複数のソフトウェアモジュールおよび／またはハードウェアモジュールを含むことができる。例えば、周辺機器１３８は、加速度計、ｅコンパス、衛星送受信機、（写真および／またはビデオ用の）デジタルカメラ、ユニバーサルシリアルバス（ＵＳＢ）ポート、バイブレーションデバイス、テレビ送受信機、ハンズフリーヘッドセット、Ｂｌｕｅｔｏｏｔｈ（登録商標）モジュール、周波数変調（ＦＭ）ラジオユニット、デジタル音楽プレーヤ、メディアプレーヤ、ビデオゲームプレーヤモジュール、インターネットブラウザ、仮想現実および／または拡張現実（ＶＲ／ＡＲ）デバイス、ならびにアクティビティトラッカなどを含むことができる。周辺機器１３８は、１つまたは複数のセンサを含むことができ、センサは、ジャイロスコープ、加速度計、ホール効果センサ、磁力計、方位センサ、近接センサ、温度センサ、時間センサ、ジオロケーションセンサ、高度計、光センサ、タッチセンサ、気圧計、ジェスチャセンサ、バイオメトリックセンサ、および／または湿度センサのうちの１つまたは複数であることができる。
【００４０】
ＷＴＲＵ１０２は、（例えば、（例えば、送信用の）ＵＬと（例えば、受信用の）ダウンリンクの両方のための特定のサブフレームと関連付けられた信号のいくつかまたはすべての送信および受信が、並列および／または同時であることができる、全二重無線を含むことができる。全二重無線は、ハードウェア（例えば、チョーク）を介して、またはプロセッサ（例えば、別個のプロセッサ（図示されず）もしくはプロセッサ１１８）を介する信号処理を介して、自己干渉を低減させ、および／または実質的に除去するために、干渉管理ユニット１３９を含むことができる。実施形態においては、ＷＴＲＵ１０２は、（例えば、（例えば、送信用の）ＵＬまたは（例えば、受信用の）ダウンリンクのどちらかのための特定のサブフレームと関連付けられた）信号のいくつかまたはすべての送信および受信のための、半二重無線を含むことができる。
【００４１】
図１Ｃは、実施形態に従った、ＲＡＮ１０４およびＣＮ１０６を例示するシステム図である。上で言及されたように、ＲＡＮ１０４は、Ｅ−ＵＴＲＡ無線技術を利用して、エアインターフェース１１６上において、ＷＴＲＵ１０２ａ、１０２ｂ、１０２ｃと通信することができる。ＲＡＮ１０４は、ＣＮ１０６とも通信することができる。
【００４２】
ＲＡＮ１０４は、ｅノードＢ１６０ａ、１６０ｂ、１６０ｃを含むことができるが、ＲＡＮ１０４は、実施形態との整合性を保ちながら、任意の数のｅノードＢを含むことができることが理解されよう。ｅノードＢ１６０ａ、１６０ｂ、１６０ｃは、各々が、エアインターフェース１１６上においてＷＴＲＵ１０２ａ、１０２ｂ、１０２ｃと通信するための、１つまたは複数の送受信機を含むことができる。一実施形態においては、ｅノードＢ１６０ａ、１６０ｂ、１６０ｃは、ＭＩＭＯ技術を実施することができる。したがって、ｅノードＢ１６０ａは、例えば、複数のアンテナを使用して、ＷＴＲＵ１０２ａに無線信号を送信し、および／またはＷＴＲＵ１０２ａから無線信号を受信することができる。
【００４３】
ｅノードＢ１６０ａ、１６０ｂ、１６０ｃの各々は、特定のセル（図示されず）と関連付けることができ、無線リソース管理決定、ハンドオーバ決定、ならびにＵＬおよび／またはＤＬにおけるユーザのスケジューリングなどを処理するように構成することができる。図１Ｃに示されるように、ｅノードＢ１６０ａ、１６０ｂ、１６０ｃは、Ｘ２インターフェース上において、互いに通信することができる。
【００４４】
図１Ｃに示されるＣＮ１０６は、モビリティ管理エンティティ（ＭＭＥ）１６２と、サービングゲートウェイ（ＳＧＷ）１６４と、パケットデータネットワーク（ＰＤＮ）ゲートウェイ（またはＰＧＷ）１６６とを含むことができる。上記の要素の各々は、ＣＮ１０６の部分として描かれているが、これらの要素のうちのいずれも、ＣＮオペレータとは異なるエンティティによって所有および／または運営することができることが理解されよう。
【００４５】
ＭＭＥ１６２は、Ｓ１インターフェースを介して、ＲＡＮ１０４内のｅノードＢ１６０ａ、１６０ｂ、１６０ｃの各々に接続することができ、制御ノードとしての役割を果たすことができる。例えば、ＭＭＥ１６２は、ＷＴＲＵ１０２ａ、１０２ｂ、１０２ｃのユーザを認証すること、ベアラアクティブ化／非アクティブ化、およびＷＴＲＵ１０２ａ、１０２ｂ、１０２ｃの初期アタッチ中に特定のサービングゲートウェイを選択することなどを担うことができる。ＭＭＥ１６２は、ＲＡＮ１０４と、ＧＳＭおよび／またはＷＣＤＭＡなどの他の無線技術を利用する他のＲＡＮ（図示されず）との間における切換えのためのコントロールプレーン機能を提供することができる。
【００４６】
ＳＧＷ１６４は、Ｓ１インターフェースを介して、ＲＡＮ１０４内のｅノードＢ１６０ａ、１６０ｂ、１６０ｃの各々に接続することができる。ＳＧＷ１６４は、一般に、ユーザデータパケットをＷＴＲＵ１０２ａ、１０２ｂ、１０２ｃに／からルーティングおよび転送することができる。ＳＧＷ１６４は、ｅノードＢ間ハンドオーバ中にユーザプレーンをアンカリングすること、ＤＬデータがＷＴＲＵ１０２ａ、１０２ｂ、１０２ｃに利用可能なときにページングをトリガすること、ならびにＷＴＲＵ１０２ａ、１０２ｂ、１０２ｃのコンテキストを管理および記憶することなど、他の機能を実行することができる。
【００４７】
ＳＧＷ１６４は、ＰＧＷ１６６に接続することができ、ＰＧＷ１６６は、インターネット１１０など、パケット交換ネットワークへのアクセスをＷＴＲＵ１０２ａ、１０２ｂ、１０２ｃに提供して、ＷＴＲＵ１０２ａ、１０２ｂ、１０２ｃとＩＰ対応デバイスとの間の通信を容易にすることができる。
【００４８】
ＣＮ１０６は、他のネットワークとの通信を容易にすることができる。例えば、ＣＮ１０６は、ＰＳＴＮ１０８など、回線交換ネットワークへのアクセスをＷＴＲＵ１０２ａ、１０２ｂ、１０２ｃに提供して、ＷＴＲＵ１０２ａ、１０２ｂ、１０２ｃと従来の固定電話回線通信デバイスとの間の通信を容易にすることができる。例えば、ＣＮ１０６は、ＣＮ１０６とＰＳＴＮ１０８との間のインターフェースとしての役割を果たすＩＰゲートウェイ（例えば、ＩＰマルチメディアサブシステム（ＩＭＳ）サーバ）を含むことができ、またはそれと通信することができる。加えて、ＣＮ１０６は、他のネットワーク１１２へのアクセスをＷＴＲＵ１０２ａ、１０２ｂ、１０２ｃに提供することができ、他のネットワーク１１２は、他のサービスプロバイダによって所有および／または運営される他の有線および／または無線ネットワークを含むことができる。
【００４９】
図１Ａ〜図１Ｄにおいては、ＷＴＲＵは、無線端末として説明されるが、ある代表的な実施形態においては、そのような端末は、通信ネットワークとの有線通信インターフェースを（例えば、一時的または永続的に）使用することができることが企図されている。
【００５０】
代表的な実施形態では、他のネットワーク１１２は、ＷＬＡＮであることができる。
【００５１】
インフラストラクチャ基本サービスセット（ＢＳＳ）モードにあるＷＬＡＮは、ＢＳＳのためのアクセスポイント（ＡＰ）と、ＡＰと関連付けられた１つまたは複数の局（ＳＴＡ）とを有することができる。ＡＰは、トラフィックをＢＳＳ内および／またはＢＳＳ外に搬送する、ディストリビューションシステム（ＤＳ）または別のタイプの有線／無線ネットワークへのアクセスまたはインターフェースを有することができる。ＢＳＳ外部から発信されたＳＴＡへのトラフィックは、ＡＰを通して到着することができ、ＳＴＡに配送することができる。ＳＴＡからＢＳＳ外部の送信先に発信されたトラフィックは、それぞれの送信先に配送するために、ＡＰに送信することができる。ＢＳＳ内のＳＴＡ間のトラフィックは、ＡＰを通して送信することができ、例えば、送信元ＳＴＡは、トラフィックをＡＰに送信することができ、ＡＰは、トラフィックを送信先ＳＴＡに配送することができる。ＢＳＳ内のＳＴＡ間のトラフィックは、ピアツーピアトラフィックと見なすことができ、および／またはピアツーピアトラフィックと呼ばれることがある。ピアツーピアトラフィックは、直接リンクセットアップ（ＤＬＳ）を用いて、送信元ＳＴＡと送信先ＳＴＡとの間で（例えば、直接的に）送信することができる。ある代表的な実施形態においては、ＤＬＳは、８０２．１１ｅ  ＤＬＳまたは８０２．１１ｚトンネルＤＬＳ（ＴＤＬＳ）を使用することができる。独立ＢＳＳ（ＩＢＳＳ）モードを使用するＷＬＡＮは、ＡＰを有さないことがあり、ＩＢＳＳ内の、またはＩＢＳＳを使用するＳＴＡ（例えば、ＳＴＡのすべて）は、互いに直接的に通信することができる。ＩＢＳＳモードの通信は、本明細書においては、ときに「アドホック」モードの通信と呼ばれることがある。
【００５２】
８０２．１１ａｃインフラストラクチャモードの動作または類似したモードの動作を使用するとき、ＡＰは、プライマリチャネルなどの固定されたチャネル上において、ビーコンを送信することができる。プライマリチャネルは、固定された幅（例えば、２０ＭＨｚ幅帯域幅）、またはシグナリングを介して動的に設定された幅であることができる。プライマリチャネルは、ＢＳＳの動作チャネルであることができ、ＡＰとの接続を確立するために、ＳＴＡによって使用することができる。ある代表的な実施形態においては、例えば、８０２．１１システムにおいては、キャリアセンス多重アクセス／衝突回避（ＣＳＭＡ／ＣＡ）を実施することができる。ＣＳＭＡ／ＣＡの場合、ＡＰを含むＳＴＡ（例えば、あらゆるＳＴＡ）は、プライマリチャネルをセンスすることができる。プライマリチャネルが、特定のＳＴＡによってセンス／検出され、および／またはビジーであると決定された場合、特定のＳＴＡは、バックオフすることができる。与えられたＢＳＳ内においては、任意の与えられた時間に、１つのＳＴＡ（例えば、ただ１つのＳＴＡ）が、送信することができる。
【００５３】
高スループット（ＨＴ）ＳＴＡは、例えば、プライマリ２０ＭＨｚチャネルを隣接または非隣接２０ＭＨｚチャネルと組み合わせて、４０ＭＨｚ幅のチャネルを形成することを介して、通信のために４０ＭＨｚ幅チャネルを使用することができる。
【００５４】
超高スループット（ＶＨＴ）ＳＴＡは、２０ＭＨｚ、４０ＭＨｚ、８０ＭＨｚ、および／または１６０ＭＨｚ幅チャネルをサポートすることができる。４０ＭＨｚおよび／または８０ＭＨｚチャネルは、連続する２０ＭＨｚチャネルを組み合わせることによって形成することができる。１６０ＭＨｚチャネルは、８つの連続する２０ＭＨｚチャネルを組み合わせることによって形成することができ、または２つの非連続な８０ＭＨｚチャネルを組み合わせることによって形成することができ、これは、８０＋８０構成と呼ばれることがある。８０＋８０構成の場合、データは、チャネルエンコーディングの後、データを２つのストリームに分割することができるセグメントパーサを通過することができる。各ストリームに対して別々に、逆高速フーリエ変換（ＩＦＦＴ）処理、および時間領域処理を行うことができる。ストリームは、２つの８０ＭＨｚチャネル上にマッピングすることができ、データは、送信ＳＴＡによって送信することができる。受信ＳＴＡの受信機においては、８０＋８０構成のための上で説明された動作を逆転することができ、組み合わされたデータは、媒体アクセス制御（ＭＡＣ）に送信することができる。
【００５５】
１ＧＨｚ未満モードの動作は、８０２．１１ａｆおよび８０２．１１ａｈによってサポートされる。チャネル動作帯域幅およびキャリアは、８０２．１１ｎおよび８０２．１１ａｃにおいて使用されるそれらと比べて、８０２．１１ａｆおよび８０２．１１ａｈにおいては低減させられる。８０２．１１ａｆは、ＴＶホワイトスペース（ＴＶＷＳ）スペクトルにおいて、５ＭＨｚ、１０ＭＨｚ、および２０ＭＨｚ帯域幅をサポートし、８０２．１１ａｈは、非ＴＶＷＳスペクトルを使用して、１ＭＨｚ、２ＭＨｚ、４ＭＨｚ、８ＭＨｚ、および１６ＭＨｚ帯域幅をサポートする。代表的な実施形態に従うと、８０２．１１ａｈは、マクロカバレージエリアにおけるＭＴＣデバイスなど、メータタイプ制御／マシンタイプコミュニケーションをサポートすることができる。ＭＴＣデバイスは、一定の機能を、例えば、一定の帯域幅および／または限られた帯域幅のサポート（例えば、それらのサポートだけ）を含む限られた機能を有することができる。ＭＴＣデバイスは、（例えば、非常に長いバッテリ寿命を維持するために）しきい値を上回るバッテリ寿命を有するバッテリを含むことができる。
【００５６】
８０２．１１ｎ、８０２．１１ａｃ、８０２．１１ａｆ、および８０２．１１ａｈなど、複数のチャネルおよびチャネル帯域幅をサポートすることができる、ＷＬＡＮシステムは、プライマリチャネルとして指定することができるチャネルを含む。プライマリチャネルは、ＢＳＳ内のすべてのＳＴＡによってサポートされる最大の共通動作帯域幅に等しい帯域幅を有することができる。プライマリチャネルの帯域幅は、ＢＳＳ内において動作するすべてのＳＴＡの中の、最小帯域幅動作モードをサポートするＳＴＡによって設定および／または制限することができる。８０２．１１ａｈの例においては、ＢＳＳ内のＡＰおよび他のＳＴＡが、２ＭＨｚ、４ＭＨｚ、８ＭＨｚ、１６ＭＨｚ、および／または他のチャネル帯域幅動作モードをサポートする場合であっても、１ＭＨｚモードをサポートする（例えば、それだけをサポートする）ＳＴＡ（例えば、ＭＴＣタイプデバイス）のために、プライマリチャネルは、１ＭＨｚ幅であることができる。キャリアセンシングおよび／またはネットワークアロケーションベクトル（ＮＡＶ）設定は、プライマリチャネルのステータスに依存することができる。例えば、（１ＭＨｚ動作モードだけをサポートする）ＳＴＡが、ＡＰに送信しているせいで、プライマリチャネルが、ビジーである場合、周波数バンドの大部分が、アイドルのままであり、利用可能であることができるとしても、利用可能な周波数バンド全体が、ビジーと見なされることができる。
【００５７】
米国においては、８０２．１１ａｈによって使用することができる利用可能な周波数バンドは、９０２ＭＨｚから９２８ＭＨｚである。韓国においては、利用可能な周波数バンドは、９１７．５ＭＨｚから９２３．５ＭＨｚである。日本においては、利用可能な周波数バンドは、９１６．５ＭＨｚから９２７．５ＭＨｚである。８０２．１１ａｈのために利用可能な合計帯域幅は、国の規則に応じて、６ＭＨｚから２６ＭＨｚである。
【００５８】
図１Ｄは、実施形態に従った、ＲＡＮ１１３およびＣＮ１１５を示すシステム図である。上で言及されたように、ＲＡＮ１１３は、ＮＲ無線技術を利用して、エアインターフェース１１６上において、ＷＴＲＵ１０２ａ、１０２ｂ、１０２ｃと通信することができる。ＲＡＮ１１３は、ＣＮ１１５とも通信することができる。
【００５９】
ＲＡＮ１１３は、ｇＮＢ１８０ａ、１８０ｂ、１８０ｃを含むことができるが、ＲＡＮ１１３は、実施形態との整合性を保ちながら、任意の数のｇＮＢを含むことができることが理解されよう。ｇＮＢ１８０ａ、１８０ｂ、１８０ｃは、各々が、エアインターフェース１１６上においてＷＴＲＵ１０２ａ、１０２ｂ、１０２ｃと通信するための、１つまたは複数の送受信機を含むことができる。一実施形態においては、ｇＮＢ１８０ａ、１８０ｂ、１８０ｃは、ＭＩＭＯ技術を実施することができる。例えば、ｇＮＢ１８０ａ、１０８ｂは、ビームフォーミングを利用して、ｇＮＢ１８０ａ、１８０ｂ、１８０ｃに信号を送信し、および／またはｇＮＢ１８０ａ、１８０ｂ、１８０ｃから信号を受信することができる。したがって、ｇＮＢ１８０ａは、例えば、複数のアンテナを使用して、ＷＴＲＵ１０２ａに無線信号を送信し、および／またはＷＴＲＵ１０２ａから無線信号を受信することができる。実施形態においては、ｇＮＢ１８０ａ、１８０ｂ、１８０ｃは、キャリアアグリゲーション技術を実施することができる。例えば、ｇＮＢ１８０ａは、ＷＴＲＵ１０２ａに複数のコンポーネントキャリアを送信することができる（図示されず）。これらのコンポーネントキャリアのサブセットは、免許不要スペクトル上にあることができるが、残りのコンポーネントキャリアは、免許要スペクトル上にあることができる。実施形態においては、ｇＮＢ１８０ａ、１８０ｂ、１８０ｃは、多地点協調（ＣｏＭＰ）技術を実施することができる。例えば、ＷＴＲＵ１０２ａは、ｇＮＢ１８０ａとｇＮＢ１８０ｂ（および／またはｇＮＢ１８０ｃ）から調整された送信を受信することができる。
【００６０】
ＷＴＲＵ１０２ａ、１０２ｂ、１０２ｃは、スケーラブルなヌメロロジ（numerology）と関連付けられた送信を使用して、ｇＮＢ１８０ａ、１８０ｂ、１８０ｃと通信することができる。例えば、ＯＦＤＭシンボル間隔、および／またはＯＦＤＭサブキャリア間隔は、異なる送信、異なるセル、および／または無線送信スペクトルの異なる部分ごとに様々であることができる。ＷＴＲＵ１０２ａ、１０２ｂ、１０２ｃは、（例えば、様々な数のＯＦＤＭシンボルを含む、および／または様々な長さの絶対時間だけ持続する）様々なまたはスケーラブルな長さのサブフレームまたは送信時間間隔（ＴＴＩ）を使用して、ｇＮＢ１８０ａ、１８０ｂ、１８０ｃと通信することができる。
【００６１】
ｇＮＢ１８０ａ、１８０ｂ、１８０ｃは、スタンドアロン構成および／または非スタンドアロン構成で、ＷＴＲＵ１０２ａ、１０２ｂ、１０２ｃと通信するように構成することができる。スタンドアロン構成においては、ＷＴＲＵ１０２ａ、１０２ｂ、１０２ｃは、（例えば、ｅノードＢ１６０ａ、１６０ｂ、１６０ｃなどの）他のＲＡＮにアクセスすることもなしに、ｇＮＢ１８０ａ、１８０ｂ、１８０ｃと通信することができる。スタンドアロン構成においては、ＷＴＲＵ１０２ａ、１０２ｂ、１０２ｃは、ｇＮＢ１８０ａ、１８０ｂ、１８０ｃのうちの１つまたは複数を、モビリティアンカポイントとして利用することができる。スタンドアロン構成においては、ＷＴＲＵ１０２ａ、１０２ｂ、１０２ｃは、免許不要バンド内において信号を使用して、ｇＮＢ１８０ａ、１８０ｂ、１８０ｃと通信することができる。非スタンドアロン構成においては、ＷＴＲＵ１０２ａ、１０２ｂ、１０２ｃは、ｅノードＢ１６０ａ、１６０ｂ、１６０ｃなどの別のＲＡＮとも通信し／別のＲＡＮにも接続しながら、ｇＮＢ１８０ａ、１８０ｂ、１８０ｃと通信し／ｇＮＢ１８０ａ、１８０ｂ、１８０ｃに接続することができる。例えば、ＷＴＲＵ１０２ａ、１０２ｂ、１０２ｃは、ＤＣ原理を実施して、１つまたは複数のｇＮＢ１８０ａ、１８０ｂ、１８０ｃ、および１つまたは複数のｅノードＢ１６０ａ、１６０ｂ、１６０ｃと実質的に同時に通信することができる。非スタンドアロン構成においては、ｅノードＢ１６０ａ、１６０ｂ、１６０ｃは、ＷＴＲＵ１０２ａ、１０２ｂ、１０２ｃのためのモビリティアンカとしての役割を果たすことができ、ｇＮＢ１８０ａ、１８０ｂ、１８０ｃは、ＷＴＲＵ１０２ａ、１０２ｂ、１０２ｃにサービスするための追加のカバレージおよび／またはスループットを提供することができる。
【００６２】
ｇＮＢ１８０ａ、１８０ｂ、１８０ｃの各々は、特定のセル（図示されず）と関連付けることができ、無線リソース管理決定、ハンドオーバ決定、ＵＬおよび／またはＤＬにおけるユーザのスケジューリング、ネットワークスライシングのサポート、デュアルコネクティビティ、ＮＲとＥ−ＵＴＲＡとの間のインターワーキング、ユーザプレーンデータのユーザプレーン機能（ＵＰＦ）１８４ａ、１８４ｂへのルーティング、ならびにコントロールプレーン情報のアクセスおよびモビリティ管理機能（ＡＭＦ）１８２ａ、１８２ｂへのルーティングなどを処理するように構成することができる。図１Ｄに示されるように、ｇＮＢ１８０ａ、１８０ｂ、１８０ｃは、Ｘｎインターフェース上において、互いに通信することができる。
【００６３】
図１Ｄに示されるＣＮ１１５は、少なくとも１つのＡＭＦ１８２ａ、１８２ｂと、少なくとも１つのＵＰＦ１８４ａ、１８４ｂと、少なくとも１つのセッション管理機能（ＳＭＦ）１８３ａ、１８３ｂと、おそらくは、データネットワーク（ＤＮ）１８５ａ、１８５ｂとを含むことができる。上記の要素の各々は、ＣＮ１１５の部分として描かれているが、これらの要素のうちのいずれも、ＣＮオペレータとは異なるエンティティによって所有および／または運営することができることが理解されよう。
【００６４】
ＡＭＦ１８２ａ、１８２ｂは、Ｎ２インターフェースを介して、ＲＡＮ１１３内のｇＮＢ１８０ａ、１８０ｂ、１８０ｃのうちの１つまたは複数に接続することができ、制御ノードとしての役割を果たすことができる。例えば、ＡＭＦ１８２ａ、１８２ｂは、ＷＴＲＵ１０２ａ、１０２ｂ、１０２ｃのユーザを認証すること、ネットワークスライシングのサポート（例えば、異なる要件を有する異なるＰＤＵセッションの処理）、特定のＳＭＦ１８３ａ、１８３ｂを選択すること、レジストレーションエリアの管理、ＮＡＳシグナリングの終了、およびモビリティ管理などを担うことができる。ネットワークスライシングは、ＷＴＲＵ１０２ａ、１０２ｂ、１０２ｃによって利用されるサービスのタイプに基づいて、ＷＴＲＵ１０２ａ、１０２ｂ、１０２ｃに対するＣＮサポートをカスタマイズするために、ＡＭＦ１８２ａ、１８２ｂによって使用することができる。例えば、超高信頼低遅延（ＵＲＬＬＣ）アクセスに依存するサービス、高速大容量モバイルブロードバンド（ｅＭＢＢ）アクセスに依存するサービス、および／またはマシンタイプコミュニケーション（ＭＴＣ）アクセスのためのサービスなど、異なる使用事例のために、異なるネットワークスライスを確立することができる。ＡＭＦ１６２は、ＲＡＮ１１３と、ＬＴＥ、ＬＴＥ−Ａ、ＬＴＥ−Ａ  Ｐｒｏ、および／またはＷｉＦｉのような非３ＧＰＰアクセス技術など、他の無線技術を利用する他のＲＡＮ（図示されず）との間の切換えのためのコントロールプレーン機能を提供することができる。
【００６５】
ＳＭＦ１８３ａ、１８３ｂは、Ｎ１１インターフェースを介して、ＣＮ１１５内のＡＭＦ１８２ａ、１８２ｂに接続することができる。ＳＭＦ１８３ａ、１８３ｂは、Ｎ４インターフェースを介して、ＣＮ１１５内のＵＰＦ１８４ａ、１８４ｂに接続することもできる。ＳＭＦ１８３ａ、１８３ｂは、ＵＰＦ１８４ａ、１８４ｂを選択および制御し、ＵＰＦ１８４ａ、１８４ｂを通したトラフィックのルーティングを構成することができる。ＳＭＦ１８３ａ、１８３ｂは、ＵＥ  ＩＰアドレスの管理および割り当てを行うこと、ＰＤＵセッションを管理すること、ポリシ実施およびＱｏＳを制御すること、ならびにダウンリンクデータ通知を提供することなど、他の機能を実行することができる。ＰＤＵセッションタイプは、ＩＰベース、非ＩＰベース、およびイーサネットベースなどであることができる。
【００６６】
ＵＰＦ１８４ａ、１８４ｂは、Ｎ３インターフェースを介して、ＲＡＮ１１３内のｇＮＢ１８０ａ、１８０ｂ、１８０ｃのうちの１つまたは複数に接続することができ、それらは、インターネット１１０など、パケット交換ネットワークへのアクセスをＷＴＲＵ１０２ａ、１０２ｂ、１０２ｃに提供して、ＷＴＲＵ１０２ａ、１０２ｂ、１０２ｃとＩＰ対応デバイスとの間の通信を容易にすることができる。ＵＰＦ１８４ａ、１８４ｂは、パケットをルーティングおよび転送すること、ユーザプレーンポリシを実施すること、マルチホーミングＰＤＵセッションをサポートすること、ユーザプレーンＱｏＳを処理すること、ダウンリンクパケットをバッファすること、ならびにモビリティアンカリングを提供することなど、他の機能を実行することができる。
【００６７】
ＣＮ１１５は、他のネットワークとの通信を容易にすることができる。例えば、ＣＮ１１５は、ＣＮ１１５とＰＳＴＮ１０８との間のインターフェースとしての役割を果たすＩＰゲートウェイ（例えば、ＩＰマルチメディアサブシステム（ＩＭＳ）サーバ）を含むことができ、またはそれと通信することができる。加えて、ＣＮ１１５は、他のネットワーク１１２へのアクセスをＷＴＲＵ１０２ａ、１０２ｂ、１０２ｃに提供することができ、他のネットワーク１１２は、他のサービスプロバイダによって所有および／または運営される他の有線および／または無線ネットワークを含むことができる。一実施形態においては、ＷＴＲＵ１０２ａ、１０２ｂ、１０２ｃは、ＵＰＦ１８４ａ、１８４ｂへのＮ３インターフェース、およびＵＰＦ１８４ａ、１８４ｂとＤＮ１８５ａ、１８５ｂとの間のＮ６インターフェースを介して、ＵＰＦ１８４ａ、１８４ｂを通して、ローカルデータネットワーク（ＤＮ）１８５ａ、１８５ｂに接続することができる。
【００６８】
図１Ａ〜図１Ｄ、および図１Ａ〜図１Ｄについての対応する説明に鑑みて、ＷＴＲＵ１０２ａ〜ｄ、基地局１１４ａ〜ｂ、ｅノードＢ１６０ａ〜ｃ、ＭＭＥ１６２、ＳＧＷ１６４、ＰＧＷ１６６、ｇＮＢ１８０ａ〜ｃ、ＡＭＦ１８２ａ〜ｂ、ＵＰＦ１８４ａ〜ｂ、ＳＭＦ１８３ａ〜ｂ、ＤＮ１８５ａ〜ｂ、および／または本明細書において説明される他の任意のデバイスのうちの１つまたは複数に関する、本明細書において説明される機能の１つもしくは複数またはすべては、１つまたは複数のエミュレーションデバイス（図示されず）によって実行することができる。エミュレーションデバイスは、本明細書において説明される機能の１つもしくは複数またはすべてをエミュレートするように構成された、１つまたは複数のデバイスであることができる。例えば、エミュレーションデバイスは、他のデバイスをテストするために、ならびに／またはネットワークおよび／もしくはＷＴＲＵ機能をシミュレートするために、使用することができる。
【００６９】
エミュレーションデバイスは、実験室環境において、および／またはオペレータネットワーク環境において、他のデバイスの１つまたは複数のテストを実施するように設計することができる。例えば、１つまたは複数のエミュレーションデバイスは、通信ネットワーク内の他のデバイスをテストするために、有線および／または無線通信ネットワークの一部として、完全または部分的に実施および／または展開されながら、１つもしくは複数またはすべての機能を実行することができる。１つまたは複数のエミュレーションデバイスは、有線および／または無線通信ネットワークの一部として、一時的に実施／展開されながら、１つもしくは複数またはすべての機能を実行することができる。エミュレーションデバイスは、テストの目的で、別のデバイスに直接的に結合することができ、および／またはオーバザエア無線通信を使用して、テストを実行することができる。
【００７０】
１つまたは複数のエミュレーションデバイスは、有線および／または無線通信ネットワークの一部として実施／展開されずに、すべての機能を含む１つまたは複数の機能を実行することができる。例えば、エミュレーションデバイスは、１つまたは複数の構成要素のテストを実施するために、テスト実験室ならびに／または展開されていない（例えば、テスト）有線および／もしくは無線通信ネットワークにおける、テストシナリオにおいて利用することができる。１つまたは複数のエミュレーションデバイスは、テスト機器であることができる。データを送信および／または受信するために、直接ＲＦ結合、および／または（例えば、１つもしくは複数のアンテナを含むことができる）ＲＦ回路を介した無線通信を、エミュレーションデバイスによって使用することができる。
【００７１】
本明細書において提供される例は、例えば、適用可能であることができる同じまたは異なる原理を使用する、他の無線技術への、主題の適用可能性を制限しない。
【００７２】
ネットワークは、無線アクセスネットワーク（ＲＡＮ）内の１つまたは複数の送信／受信ポイント（ＴＲＰ）または他のノードと関連付けることができる、１つまたは複数のｇＮＢを指すことがある。
【００７３】
ＮＲおよび／または他の無線アクセス技術タイプにおいて、ＲＲＣ状態（例えば、ＲＲＣ＿ＩＮＡＣＴＩＶＥ）が、存在することができる。ＲＲＣ＿ＩＮＡＣＴＩＶＥ状態は、例えば、以下のうちの１つまたは複数、すなわち、セル再選択モビリティ、ＷＴＲＵのために確立されるＣＮ−ＮＲ  ＲＡＮ接続（例えば、Ｃ／Ｕプレーン両方）、ＷＴＲＵのアクセス層（ＡＳ）コンテキストを少なくとも１つのｇＮＢおよびＷＴＲＵ内に記憶することができること、ＮＲ  ＲＡＮによってページングを開始することができること、ＮＲ  ＲＡＮによってＲＡＮベースの通知エリアを管理することができること、および／またはＷＴＲＵが属するＲＡＮベースの通知エリアをＮＲ  ＲＡＮが知っていることができることのうちの１つまたは複数によって特徴付けることができる。
【００７４】
ＲＲＣ＿ＩＮＡＣＴＩＶＥ状態とＲＲＣ＿ＣＯＮＮＥＣＴＥＤ状態との間の遷移のシグナリングは、例えば、ＲＲＣ接続が再開されるべきであることを示すＲＲＣメッセージをＷＴＲＵが送信および／または受信することを含むことができる。一時停止手順の間、コンテキストを維持することができる、（例えば、ＬＴＥにおける）モノのセルラインターネット（ＣＩｏＴ）のための、一時中断−再開シグナリングは、類似の再開シグナリングを利用することができる。
【００７５】
（例えば、ＬＴＥおよび／またはＮＲにおいて）ＷＴＲＵによって、デュアルコネクティビティ（ＤＣ）動作をサポートすることができる。
【００７６】
ＲＲＣ＿ＣＯＮＮＥＣＴＥＤ状態にあるＤＣ  ＷＴＲＵは、（例えば、Ｘ２インターフェース上のバックホールを介して）接続される複数（例えば、２つ）のｅＮＢ／ｇＮＢ内に明確に配置することができる、複数（例えば、２つ）の異なるスケジューラによって提供される無線リソースを利用するように、（例えば、ＬＴＥにおいて）構成することができる。ＷＴＲＵのためのＤＣに含まれるｅＮＢは、複数（例えば、２つ）の異なる役割を担うことができる。ｅＮＢは、例えば、マスタｅＮＢ（ＭｅＮＢ）／マスタｇＮＢ（ＭｇＮＢ）としての、またはセカンダリｅＮＢ（ＳｅＮＢ）／セカンダリｇＮＢ（ＳｇＮＢ）としての役割を果たすことができる。（例えば、ＤＣにある）ＷＴＲＵは、ＭｅＮＢおよび／またはＳｅＮＢに接続することができる。ＤＣを用いるように構成されたＷＴＲＵは、例えば、ＲＲＣ接続を再開するとき（例えば、ＷＴＲＵがＲＲＣ＿ＣＯＮＮＥＣＴＥＤ状態に遷移するとき）、（例えば、一時停止／再開手順に関連して）セカンダリセルグループ（ＳＣＧ）構成をリリースすることがあり、またはリリースしないことがある。
【００７７】
（例えば、ＮＲにおいては）複数のｇＮＢ間におけるＤＣをサポートすることができる。（例えば、ＮＲにおいては）マスタノード（ＭＮ）とセカンダリノード（ＳＮ）との間におけるマルチＲＡＴ−ＤＣ（ＭＲ−ＤＣ）をサポートすることができる。ＭＲ−ＤＣは、以下の形態のうちの１つまたは複数、すなわち、ＭＮがＬＴＥであることができ、ＳＮがＮＲであることができ、コアネットワーク（ＣＮ）がＬＴＥであることができる、Ｅ−ＵＴＲＡ−ＮＲデュアルコネクティビティ（ＥＮ−ＤＣ）、ＬＴＥ  ＣＮがＮＲ  ＣＮで置き換えられた、ＮＧ−ＲＡＮ  Ｅ−ＵＴＲＡ−ＮＲデュアルコネクティビティ（ＮＧＥＮ−ＤＣ）、およびＭＮがＮＲであることができ、ＳＮがＬＴＥであることができ、ＣＮがＮＲであることができる、ＮＲ−Ｅ−ＵＴＲＡデュアルコネクティビティ（ＮＥ−ＤＣ）のうちの１つまたは複数を取ることができる、
ＷＴＲＵは、（例えば、ＮＲにおいて）ＲＲＣ＿ＩＮＡＣＴＩＶＥ状態とＲＲＣ＿ＣＯＮＮＥＣＴＥＤ状態との間で遷移する（例えば、しばしば遷移する）ことができる。各状態遷移（例えば、各状態遷移）の後、ＤＣ構成の再構成が、実行される場合、ＤＣを用いるように構成されたＷＴＲＵは、ネットワーク（ＮＷ）シグナリングに加えて、ＳＮへのＣＮ−ＲＡＮ接続を切断および／または再確立するために、相対的に大量のシグナリングオーバヘッドを招くことがある。本明細書において説明される技法は、ＷＴＲＵが、低減されたシグナリングオーバヘッドを用いて、ＲＲＣ＿ＩＮＡＣＴＩＶＥ状態からＲＲＣ＿ＣＯＮＮＥＣＴＥＤ状態に、またＲＲＣ＿ＣＯＮＮＥＣＴＥＤ状態から遷移することを可能にすることができる。
【００７８】
ＷＴＲＵおよび／またはＮＷは、ＷＴＲＵのモビリティを考慮して、ＤＣ構成（例えば、現在のＤＣ構成）の妥当性を評価することができる。ＷＴＲＵは、妥当な構成の維持を実行することができる。
【００７９】
例えば、再構成のために、最小のシグナリング／待ち時間を用いて、ＳＣＧベアラ上においてデータをＷＴＲＵまたはＮＷに転送することによって、ＳＮとのＣＮ−ＲＡＮインターフェースの維持を実施することができる。例えば、（例えば、ＷＴＲＵモビリティのせいで）ＣＮ−ＲＡＮインターフェースが切り換えられたとき、ＮＷに（例えば、追加的に）通知することができる。
【００８０】
ＷＴＲＵは、非アクティブ状態（例えば、ＲＲＣ＿ＩＮＡＣＴＩＶＥ状態）にある間に、ＤＣを実行するように構成することができる。ＷＴＲＵは、例えば、非アクティブ状態にある間に、モビリティを実行することができる。
【００８１】
ＷＴＲＵは、ＲＲＣ＿ＩＮＡＣＴＩＶＥ状態にある間に、１つまたは複数のセルの正確な／適用可能なＤＣ構成を維持することができる。ＷＴＲＵは、（例えば、セルまたはＳＮノードの変更が必要とされることがあるとき）例えば、接続されたＳＮセルおよび／または近隣者セルの測定（例えば、ＲＲＭ）を実行することができる。ＷＴＲＵは、ＲＲＣ＿ＩＮＡＣＴＩＶＥ状態にある間に、例えば、ＰＳＣｅｌｌの構成を獲得する（例えば、獲得できるようにされる）ことができる。
【００８２】
ＷＴＲＵは、ＲＲＣ＿ＩＮＡＣＴＩＶＥ状態にある間に、ＳＩメッセージを受信することができる。ＷＴＲＵは、ＲＲＣ＿ＩＮＡＣＴＩＶＥ状態にある間に、ＳＩメッセージを使用して、ＤＣを実行することができる。
【００８３】
本明細書において説明されるように、ＷＴＲＵは、ＲＲＣ＿ＩＮＡＣＴＩＶＥ状態にある間に、ＤＣを実行するために使用することができる、１つまたは複数のＳＩメッセージを受信することができる。ＷＴＲＵによって受信されるＳＩメッセージの量および／またはサイズは、低減させることができる。ＷＴＲＵがＲＲＣ＿ＩＮＡＣＴＩＶＥ状態にある間に、ＤＣの動作／維持のために、ＷＴＲＵのためのＳＩを使用することができる（例えば、ＤＣ＿Ｉｎａｃｔｉｖｅ＿ＳＩ）。その目的専用とすることができる、１つまたは複数のシステム情報ブロック（ＳＩＢ）／ＳＩメッセージで、ＳＩを送信することができる。（例えば、与えられたＷＴＲＵのために）プライマリセカンダリセル（ＰＳＣｅｌｌ）として構成することができる、セルによって、ＳＩＢまたはＳＩメッセージをブロードキャストする（例えば、定期的にブロードキャストする）ことができる。例においては、例えば、ＤＣにあり、与えられたＰＳＣｅｌｌまたは周囲のＰＳＣｅｌｌを用いるように現在構成されているＷＴＲＵが、まったく存在しないとき、ネットワークは、ＳＩＢ／ＳＩ上におけるブロードキャストを停止する（例えば、止める）ことができる。ＳＩメッセージは、例えば、ＰＣｅｌｌ自体のシステム情報の一部として、プライマリセル（ＰＣｅｌｌ）によって送信する（例えば、代替的に送信する）ことができる。ＳＩメッセージの内容は、例えば、以下のうちの１つまたは複数、すなわち、ＳＮの選択／再選択と関連付けられたパラメータ（例えば、しきい値）、ＰＳＣｅｌｌの測定を実行するために使用されるパラメータ（例えば、セル帯域幅、ＲＳの構成、測定構成、ＩＮＡＣＴＩＶＥ状態に固有のイベント構成など）、ＲＲＣ＿ＩＮＡＣＴＩＶＥ状態にある間の、データおよび／もしくは（例えば、直接的な）ＲＲＣシグナリングのＳＮへの送信と関連付けられたパラメータ（例えば、ＷＴＲＵの状態、しきい値など）、ＰＳＣｅｌｌのためのＬ１／Ｌ２構成、ならびに／またはＰＣｅｌｌと、もしくはＲＲＣ＿ＩＮＡＣＴＩＶＥ状態への遷移時に構成することができるＰＣｅｌｌと、またはＰＳＣｅｌｌと関連付けることができる潜在的なＰＳＣｅｌｌのうちの１つまたは複数を含むことができる。
【００８４】
ＷＴＲＵは、測定および／またはセル再選択決定を実行するために、ＷＴＲＵによって使用することができる、あるＳＩを受信することができる。例えば、ＷＴＲＵは、測定および／またはＰＳＣｅｌｌ再選択決定を実行するために、ＷＴＲＵによって使用することができる、ＤＣ＿Ｉｎａｃｔｉｖｅ＿ＳＩを受信することができる。ＤＣ＿Ｉｎａｃｔｉｖｅ＿ＳＩは、ＷＴＲＵがＲＲＣ＿ＩＮＡＣＴＩＶＥ状態にある間に、ＷＴＲＵがＰＳＣｅｌｌにアクセスすることを可能にする、情報を含むことができる。例えば、ＤＣ＿Ｉｎａｃｔｉｖｅ＿ＳＩは、ランダムアクセスチャネル（ＲＡＣＨ）パラメータを含むことができる。
【００８５】
ＷＴＲＵは、ＳＮと関連付けられたＭＮから、ＳＩ（例えば、ＤＣ＿Ｉｎａｃｔｉｖｅ＿ＳＩ）を受信することができる。
【００８６】
ＷＴＲＵは、ＭＮにＳＩ（例えば、ＤＣ＿Ｉｎａｃｔｉｖｅ＿ＳＩ）を要求し、ＭＮからＳＩを受信すること、および／または読み取ることができる。ＷＴＲＵは、例えば、オンデマンド要求手順を使用することによって、ＳＩを要求することができる。ＷＴＲＵが、オンデマンド要求手順を使用して、ＳＩを要求する場合、セルによるそのような情報の（例えば、常時の）ブロードキャストを回避することができる。ＷＴＲＵは、（例えば、他のいずれのＳＩとも同様に）ＭＮの最小ＳＩからのＳＩを受信するための、妥当性情報および／またはスケジューリング情報を獲得することができる。ＷＴＲＵは、例えば、ＰＳＣｅｌｌ／ＰＣｅｌｌセルＩＤをオンデマンド要求内に含めることによって、ＰＳＣｅｌｌおよび／またはＰＣｅｌｌに固有のＳＩを要求することができる。ＷＴＲＵは、例えば、ＳＮ  ＰＳＣｅｌｌのためのシステム情報を受信するために、ＰＳＣｅｌｌ  ＩＤをＳＩ要求のＭＳＧ３内に含めることができる。ＷＴＲＵは、（例えば、構成に基づいて）ＰＳＣｅｌｌと関連付けられたＰＲＡＣＨ時間／周波数リソースおよび／またはプリアンブルを選択することができる。ＷＴＲＵは、ＰＳＣｅｌｌ  ＩＤを、マルチステップ（例えば、２ステップ）ＲＡＣＨで送信することができる。例えば、ＷＴＲＵは、マルチステップＲＡＣＨを介して、ＰＳＣｅｌｌ固有のＳＩを要求することができる。ＷＴＲＵは、例えば、単一の要求を使用して、与えられたＰＣｅｌｌについての１つまたは複数（例えば、すべて）の潜在的なＰＳＣｅｌｌのために、別個のＤＣ＿Ｉｎａｃｔｉｖｅ＿ＳＩを獲得することができる。ＷＴＲＵは、（例えば、事前構成されたＳＣｅｌｌリストに従って）ＳＮと関連付けられたＳＣｅｌｌのセットのためのＳＩを獲得することができる。例えば、ＷＴＲＵが、ＲＲＣ＿ＣＯＮＮＥＣＴＥＤ状態からＲＲＣ＿ＩＮＡＣＴＩＶＥ状態に遷移するとき、ＷＴＲＵは、ＳＣｅｌｌリストを用いるように構成することができる。ＷＴＲＵは、ＷＴＲＵがそれに構成情報を要求するＳＣｅｌｌリストを示す情報を、（例えば、ＳＩ要求内に）含めることができる。
【００８７】
ＷＴＲＵは、ＳＮのＳＩブロードキャストから、ＤＣ＿Ｉｎａｃｔｉｖｅ＿ＳＩを（例えば、直接的に）受信し、および／または読み取ることができる。ＷＴＲＵは、例えば、（例えば、非スタンドアロン（ＮＳＡ）ＮＲセルのうちの）ＰＳＣｅｌｌとしての役割を果たすことができるセル上において提供することができる、例えば、ＳＩＢまたはＳＩメッセージで、情報をブロードキャストすることができることを決定すること、仮定すること、または知るように構成することができる。ＷＴＲＵは、マスタＰＣｅｌｌから、セル再選択ＳＩと関連付けられた、妥当性情報（例えば、値タグ）および／またはスケジューリング情報を獲得することができる。ＷＴＲＵは、例えば、（例えば、ＰＣｅｌｌによってブロードキャストすることができる）最小ＳＩでの妥当性および／またはスケジューリング情報の獲得に基づいて、（例えば、ＳＮ再選択パラメータと関連付けられた）新しいＳＩを獲得すべきかどうか、いつ獲得すべきかどうかを決定することができる。ＷＴＲＵは、（例えば、直接的に）ＳＮから、妥当性情報および／またはスケジューリング情報を受信することができる。ＷＴＲＵは、例えば、新しいＤＣ＿Ｉｎａｃｔｉｖｅ＿ＳＩを獲得すべきかどうかを決定するために、ＰＳＣｅｌｌによって定期的に（例えば、ＷＴＲＵのＩｎａｃｔｉｖｅ状態ＤＲＸサイクルのウェイクアップごとに）ブロードキャストすることができる、最小ＳＩを読み取ることができる。
【００８８】
ＷＴＲＵは、ＳＣｅｌｌのＳＩについての妥当性情報を、ＰＣｅｌｌから、ＳＩ要求手順を通して受信することができ、ＳＣｅｌｌと関連付けられた実際のＳＩを、ＳＣｅｌｌのブロードキャストから（例えば、直接的に）受信することができる。ＰＣｅｌｌおよびＳＣｅｌｌは、ＳＣｅｌｌのＳＩのスケジューリングおよび／または妥当性情報をブロードキャストしないことがあり、ＳＣｅｌｌは、ＳＩ（例えば、実際のＳＩ）をブロードキャストしないことがある。ＷＴＲＵは、（例えば、ＳＩ要求をＭＮに送信することによって）ＳＣｅｌｌの関連するＳＩのブロードキャストを開始するように、ＳＣｅｌｌをトリガすることができる。ＷＴＲＵは、ＰＣｅｌｌから（例えば、直接的に）、スケジューリングおよび妥当性情報を（例えば、同時に）受信することができる。
【００８９】
ＷＴＲＵは、先に獲得されたＳＩから、ＰＳＣｅｌｌ（例えば、ＳＮセル）についてのＳＩを獲得することができる。ＷＴＲＵは、セル（例えば、ＳＮセルおよび／またはＰＳＣｅｌｌ）についての先に獲得されたＳＩを記憶することができる。ＷＴＲＵが、セルにキャンプしていた／接続されていた（例えば、ＰＣｅｌｌとしてのセルに接続されていた）間、ＷＴＲＵは、先に獲得されたＳＩを有することができる。ＷＴＲＵは、デュアルコネクティビティを構成して、または構成せずに、先に獲得されたＳＩを有することができる。ＷＴＲＵは、セルのためのとき（例えば、ＷＴＲＵがＳＮおよび／またはＰＳＣｅｌｌとしてのセルを使用するとき）、先に獲得されたＳＩを使用することができる。
【００９０】
ＷＴＲＵは、ページングメッセージで、ＳＮ構成のインジケーションを受信することができる。
【００９１】
ＷＴＲＵは、通知を受信することができ、それは、（例えば、１つまたは複数のＳＮセル（ＰＳＣｅｌｌ／ＳＣｅｌｌ）に適用可能な）新しいＳＮ構成を使用することを、ＷＴＲＵに示すことができる。例えば、ＷＴＲＵは、ページングメッセージで、通知を受信することができる。ＷＴＲＵは、ＭＮから、ページングメッセージを受信することができる。ＷＴＲＵは、ＳＩ変更がＤＣ＿Ｉｎａｃｔｉｖｅ＿ＳＩに適用可能であることを示すインジケーションを、（例えば、ページングメッセージで）受信することができる。
【００９２】
ＷＴＲＵは、潜在的なＰＳＣｅｌｌ／ＳＮ  ＳＣｅｌｌのリストを用いるように構成することができる。
【００９３】
ＷＴＲＵは、ＷＴＲＵが、その中で、例えば、ＲＲＣ＿ＩＮＡＣＴＩＶＥ状態にある間にモビリティを実行することができ、ＲＲＣ＿ＩＮＡＣＴＩＶＥ状態にある間に（例えば、ＲＲＣ＿ＣＯＮＮＥＣＴＥＤ状態に遷移することなく）直接的なデータ／制御送信を実行することができ、および／またはＷＴＲＵが、それのために、例えば、ネットワークにおけるＷＴＲＵのＤＣコンテキストを更新するために、ＲＲＣ＿ＣＯＮＮＥＣＴＥＤ状態への遷移を開始することができる、１つまたは複数の測定を実行することができる、ＳＣＧセルのリストを用いるように（例えば、暗黙的または明示的に）構成することができる。そのようなリストは、ＷＴＲＵがＲＲＣ＿ＣＯＮＮＥＣＴＥＤ状態にある間に、ＷＴＲＵにおいて構成することができ、またはＲＲＣ＿ＣＯＮＮＥＣＴＥＤ状態からＲＲＣ＿ＩＮＡＣＴＩＶＥ状態への遷移中に、ＷＴＲＵにおいて構成することができる。
【００９４】
ＷＴＲＵは、ＷＴＲＵがＲＲＣ＿ＣＯＮＮＥＣＴＥＤ状態に遷移する、および／もしくはＲＲＣ＿ＣＯＮＮＥＣＴＥＤ状態から遷移するための１つもしくは複数のトリガ、ならびに／またはＷＴＲＵがエリア更新を実行するための１つもしくは複数のトリガを用いるように構成することができる。例えば、トリガは、ＷＴＲＵのモビリティ、および／またはＳＮに関するＷＴＲＵの状態に基づくことができる。
【００９５】
ＷＴＲＵは、ＲＲＣ＿ＣＯＮＮＥＣＴＥＤ状態に遷移することができ、または１つまたは複数のトリガ（例えば、モビリティイベント、ＰＳＣｅｌｌもしくはＳＣｅｌｌに関連することができる測定、またはＰＳＣｅｌｌもしくはＳＣｅｌｌに関連することができるトラフィック特性）に基づいて、エリア更新を実行することができる。ＲＲＣ＿ＣＯＮＮＥＣＴＥＤ状態への遷移は、例えば、以下のうちの１つまたは複数を、すなわち、ＤＣ構成のＰＳＣｅｌｌを更新する必要性、１つもしくは複数のネットワークノードにおいてコンテキストをクリア／更新する必要性、および／またはＳＮカバレージの特定のエリアの外におけるＷＴＲＵの動きのうちの１つまたは複数をネットワークに通知するために、（例えば、ＷＴＲＵによって）実行することができる。本明細書において説明されるように、ＷＴＲＵは、トリガ（例えば、ＰＳＣｅｌｌもしくはＳＣｅｌｌに関連することができる品質測定、またはＰＳＣｅｌｌもしくはＳＣｅｌｌに関連することができるトラフィック特性）に基づいて、ＲＲＣ＿ＣＯＮＮＥＣＴＥＤ状態に遷移することができる。トリガは、品質測定またはトラフィック特性をしきい値と比較することを含むことができる。
【００９６】
ＲＲＣ＿ＣＯＮＮＥＣＴＥＤ状態への遷移は、例えば、再開手順（例えば、ＮＲについての再開手順）とすることができる手順に従うことができる。エリア更新手順は、例えば、ＮＲについてのＲＡＮエリア更新手順に類似することができる手順に従うことができる。
【００９７】
ＷＴＲＵは、ＷＴＲＵがＲＲＣ＿ＣＯＮＮＥＣＴＥＤ状態に遷移するためのトリガを用いるように構成することができる。ＲＲＣ＿ＣＯＮＮＥＣＴＥＤ状態に遷移するためのトリガの構成は、例えば、ＲＲＣシグナリング（例えば、ＲＲＣ＿ＣＯＮＮＥＣＴＥＤ状態にある間の専用ＲＲＣシグナリング）を介して、提供することができる。ＲＲＣＨシグナリングは、ＭＮから、または（例えば、シグナリング無線ベアラ３（ＳＲＢ３）を介して）ＳＮから（例えば、直接的に）受信することができる。ＷＴＲＵは、メッセージで（例えば、メッセージでも）トリガ構成を受信することができ、それは、ＷＴＲＵを一時停止させて、ＲＲＣ＿ＩＮＡＣＴＩＶＥ状態にすることができる。ＷＴＲＵは、（例えば、構成がＳＮによって送信される必要があるとき）（例えば、ＭＲ−ＤＣのケースにおいては）ＳＮによって生成することができるカプセル化されたＲＲＣメッセージで、構成を受信することができる。
【００９８】
ＷＴＲＵは、セルのリストのセル品質に基づいて、ＷＴＲＵがＲＲＣ＿ＣＯＮＮＥＣＴＥＤ状態に遷移するためのトリガを用いるように構成することができる。
【００９９】
ＷＴＲＵは、ＷＴＲＵがＲＲＣ＿ＩＮＡＣＴＩＶＥ状態にある間に、潜在的なＰＳＣｅｌｌ候補の範囲に対応することができるセル（例えば、セルＩＤ）のリストを用いるように構成することができる。ＰＳＣｅｌｌ候補のセットは、例えば、単一のＳＮ，ＳＮのための単一のセキュリティ鍵と関連付けられた、セルに対応することができる。ＰＳＣｅｌｌ候補のセットは、例えば、モビリティの間、ＣＮ−ＲＡＮ接続を維持することができる、セルのリストに対応することができる。
【０１００】
ＷＴＲＵは、セルのリストと関連付けることができる測定イベントを用いるように構成することができる。測定イベントは（例えば、トリガされたとき）、ＲＲＣ＿ＣＯＮＮＥＣＴＥＤ状態への遷移を開始することができ、例えば、１つまたは複数のセルはもはや通信に適することができないという事実に基づいて、定義することができる。以下のうちの１つまたは複数を、すなわち、ＳＣＧセルのすべてもしくはサブセットの測定された品質は、例えば、時間のある期間の間、しきい値を下回ることができること、ＰＳＣｅｌｌおよびリスト内の与えられた数の他のセルの測定された品質は、例えば、時間のある期間の間、しきい値を下回ることができること、ならびに／またはセルのリスト（例えば、ＰＳＣｅｌｌのリスト）の一部ではない１つまたは複数のセルの測定された品質は、例えば、時間のある期間の間、セルのリストのうちのセルのサブセットよりも良いしきい値になることができることのうちの１つまたは複数を適用することができる。
【０１０１】
ＷＴＲＵは、エリア内のセル品質に基づいて、ＷＴＲＵがＲＲＣ＿ＣＯＮＮＥＣＴＥＤ状態に遷移するためのトリガを用いるように構成することができる。
【０１０２】
（例えば、本明細書において説明されるような）測定イベントは、例えば、シグネチャをブロードキャストする少なくとも１つのセル、関連するシグネチャのセット、および／またはエリアもしくはセルのリストに固有であることができる識別子（例えば、エリアＩＤ）の非存在によって、定義することができる。ＷＴＲＵは、シグネチャまたはエリアＩＤが、（例えば、ＷＴＲＵがＲＲＣ＿ＩＮＡＣＴＩＶＥ状態にあったときに）ＰＳＣｅｌｌと関連付けられるシグネチャ／エリアＩＤに類似する（例えば、それらと同じである）と決定することができる。ＲＲＣ＿ＣＯＮＮＥＣＴＥＤ状態への遷移、またはエリア更新手順は、例えば、少なくとも１つのセルについて一定の測定品質を維持することができないことに基づいて、開始することができる。例えば、ＲＲＣ＿ＣＯＮＮＥＣＴＥＤ状態への遷移、またはエリア更新手順は、測定品質メトリックがしきい値を下回ったことに基づいて、開始することができる。
【０１０３】
ＷＴＲＵは、非アクティブに基づいて、ＷＴＲＵがＲＲＣ＿ＣＯＮＮＥＣＴＥＤ状態に遷移するためのトリガを用いるように構成することができる。
【０１０４】
ＷＴＲＵは、例えば、非アクティブタイマ、またはＳＣＧリリースタイマ（例えば、ＲＲＣ構成されたＳＣＧリリースタイマ）を用いるように構成することができる。非アクティブタイマは、（例えば、ＷＴＲＵによる）ＳＮへのデータ送信と関連付けることができる。ＷＴＲＵは、例えば、非アクティブタイマの満了時に、ＲＲＣ＿ＣＯＮＮＥＣＴＥＤ状態に遷移することができる。非アクティブタイマは、例えば、ＷＴＲＵがＲＲＣ＿ＩＮＡＣＴＩＶＥ状態に遷移するとき、開始することができる。非アクティブタイマは、例えば、以下のうちの１つまたは複数が生じたとき、すなわち、ＷＴＲＵが、ＳＮと関連付けられた（例えば、ＳＮとだけ関連付けられた）ＤＲＢおよび／もしくはＳＲＢ（例えば、ＳＣＧ  ＤＲＢ）上において、データを送信および／もしくは受信したとき、ＷＴＲＵが、ＲＲＣ＿ＣＯＮＮＥＣＴＥＤ状態に遷移したときに、ならびに／またはＷＴＲＵが、ＲＲＣ＿ＩＮＡＣＴＩＶＥ状態に遷移した（例えば、後にＲＲＣ＿ＩＮＡＣＴＩＶＥ状態に遷移して戻った）とき、リセットすることができる。スプリットＤＲＢ（例えば、データをＭＮまたはＳＮに送信することができるＤＲＢ）のための非アクティブタイマのリセットは、データの送信のために選択されたＵＬパスに依存することができる。ＷＴＲＵがＲＲＣ＿ＩＮＡＣＴＩＶＥ状態にある間の、スプリットＤＲＢのためのＵＬパスを決定するためのルールは、ＷＴＲＵがＲＲＣ＿ＣＯＮＮＥＣＴＥＤ状態にある間の、ＵＬパスを決定するためのルールに類似する（例えば、それと同じである）ことができる。また、またはあるいは、ＷＴＲＵがＲＲＣ＿ＩＮＡＣＴＩＶＥ状態にある間の、スプリットＤＲＢについてのＵＬパス決定のためのルール（および／または、例えば、非アクティブタイマをリセットするためのルール）は、例えば、ＷＴＲＵが、ＲＲＣ＿ＩＮＡＣＴＩＶＥ状態にある間に、あるスプリットベアラ上において、データをＭＮに送信するように構成されるとき、ＲＲＣ＿ＣＯＮＮＥＣＴＥＤ状態にある間の、ＵＬパス決定のためのルールに類似しない（例えば、異なる）ことがある。
【０１０５】
ＷＴＲＵは、ＭＮモビリティに基づいて、ＷＴＲＵがＲＲＣ＿ＣＯＮＮＥＣＴＥＤ状態に遷移すべきであることを示すためのトリガを用いるように構成することができる。
【０１０６】
ＷＴＲＵは、例えば、ＭＮモビリティに基づいて、ＷＴＲＵがＲＲＣ＿ＣＯＮＮＥＣＴＥＤ状態に遷移すべきであることを示すためのトリガを用いるように構成することができる。遷移は、例えば、ＲＲＣ＿ＩＮＡＣＴＩＶＥ状態にある間に、ＷＴＲＵがデュアルコネクティビティを用いるように構成されるとき（例えば、そのときだけ）、適用可能であることができる。ＲＲＣ＿ＩＮＡＣＴＩＶＥ状態にある間に、ＤＣを用いるように構成されたＷＴＲＵは、例えば、ＷＴＲＵが、ＰＣｅｌｌ（例えば、ＷＴＲＵがＲＲＣ＿ＩＮＡＣＴＩＶＥ状態に遷移するときの、現在のＰＣｅｌｌ）ではないセル上において、セル再選択を実行するとき、ＲＲＣ＿ＣＯＮＮＥＣＴＥＤ状態に遷移することができる。また、またはあるいは、ＷＴＲＵは、ＰＣｅｌｌ（例えば、潜在的なＰＣｅｌｌ）のリストを定義することができる、エリア（例えば、ＲＡＮエリアとは異なるエリア）を用いるように構成することができる。エリアの外のセルの再選択は、ＲＲＣ＿ＣＯＮＮＥＣＴＥＤ状態への遷移をトリガすることができる。例えば、ＤＣ構成が維持されていない／アクティブではないとき、ＭＮモビリティに基づいたトリガは、ＲＲＣ＿ＩＮＡＣＴＩＶＥ状態にあるＷＴＲＵに対して無効化することができる。
【０１０７】
ＷＴＲＵは、構成の変更（例えば、もはや直接アクセスを許容しない構成の変更）に基づいて、ＷＴＲＵがＲＲＣ＿ＣＯＮＮＥＣＴＥＤ状態に遷移すべきであることを示すためのトリガを用いるように構成することができる。
【０１０８】
ＷＴＲＵは、例えば、１つまたは複数の潜在的なＰＳＣｅｌｌまたはＳＣＧ上のセルと関連付けられたＳＩが変化したとき、ＷＴＲＵがＲＲＣ＿ＣＯＮＮＥＣＴＥＤ状態に遷移すべきであることを示すためのトリガを用いるように構成することができる。１つまたは複数の潜在的なＰＳＣｅｌｌまたはＳＣＧ上のセルと関連付けられたＳＩが変化したとき、ＷＴＲＵは、ＲＲＣ＿ＣＯＮＮＥＣＴＥＤ状態に遷移することなしには、データ送信のためのセルにアクセスすることができない（例えば、アクセスすることができないことがある）。例においては、ＷＴＲＵは、ＳＣＧに対して適用可能であることができるＳＩ（例えば、完全なＳＩ）の部分を受信することができる。ＷＴＲＵは、例えば、ＳＩのインジケーション（例えば、特定のインジケーション）の変更を考慮するために、ＷＴＲＵがＲＲＣ＿ＣＯＮＮＥＣＴＥＤ状態にある間に、完全なＳＩ（例えば、ＳＣＧ構成）を再獲得することができる。ＳＩ構成の変更は、ＲＲＣ＿ＣＯＮＮＥＣＴＥＤ状態にある間に（例えば、その間にだけ）獲得することができる、セキュリティパラメータまたはデータ送信パラメータの変更を示すことができる（例えば、代替として、示すことができる）。
【０１０９】
ＷＴＲＵは、本明細書において説明されるトリガのうちの１つまたは複数を用いるように構成することができる。例えば、ＷＴＲＵは、本明細書において説明されるトリガのうちのいずれか、またはそれらのトリガの任意の組み合わせを用いるように構成することができる。ＷＴＲＵは、例えば、（例えば、測定、および／またはＲＲＣ構成されたＳＣＧリリースタイマ満了に基づいて）（例えば、構成されたおよび／または潜在的な）ＰＳＣｅｌｌまたはＳＣＧのいずれかもしくはすべてのセルが、アクセスに適さないことを検出したとき、ＲＲＣ＿ＣＯＮＮＥＣＴＥＤ状態に遷移すること、またはＮＷにおけるコンテキストをクリア／更新するために、エリア更新手順をトリガすることができる。
【０１１０】
ＷＴＲＵは、ＲＲＣ＿ＣＯＮＮＥＣＴＥＤ状態への遷移またはエリア更新の前、その最中、および／またはその後に、以下の方法のうちの１つまたは複数で振る舞うことができる。
【０１１１】
ＷＴＲＵは、トリガ、メッセージの受信、および／またはＵＬデータの到着に基づいて、ＲＲＣ＿ＣＯＮＮＥＣＴＥＤ状態に遷移することができ、またはエリア更新を発行することができる。例えば、ＷＴＲＵは、以下のうちの１つまたは複数、すなわち、ページングメッセージの受信、ＷＴＲＵへのＵＬデータの到着、および／または１つもしくは複数のトリガのうちの１つまたは複数に基づいて、ＲＲＣ＿ＣＯＮＮＥＣＴＥＤ状態に遷移することができ、またはエリア更新を発行することができる。ＷＴＲＵは、（例えば、遷移の結果として）ＳＮノードの現在のモビリティ状態を示すことができる情報を提供することができる。
【０１１２】
ＷＴＲＵは、ＷＴＲＵがＲＲＣ＿ＣＯＮＮＥＣＴＥＤ状態に遷移するとき、情報を送信するように構成することができる。例えば、ＷＴＲＵは、ＲＲＣ＿ＣＯＮＮＥＣＴＥＤ状態への遷移中、以下のうちの１つまたは複数、すなわち、ＳＮ構成を削除もしくは変更する、もしくはＷＴＲＵコンテキストをシングルコネクティビティコンテキストに変更する旨の、ＮＷへのインジケーション、先に構成されたＰＳＣｅｌｌの品質がしきい値を上回ることができるかどうかを示す、ＮＷへのインジケーション、（例えば、特定の）しきい値を上回る品質を有することができる１つもしくは複数のセルを示すインジケーション、例えば、（例えば、本明細書において説明される決定メカニズムに基づいた）構成された潜在的なＰＳＣｅｌｌのリストからの、最良のセルもしくは選択されたセルを示すインジケーション、および／または（例えば、ＰＳＣｅｌｌ、潜在的なＰＳＣｅｌｌ、ＰＳＣｅｌｌと同じ周波数上の他の検出されたセルを含む）セルのセットの測定値のうちの１つまたは複数を送信することができる。例においては、測定値の包含／報告は、（例えば、本明細書において説明されるような）ＷＴＲＵがＲＲＣ＿ＩＮＡＣＴＩＶＥ状態にある間のモビリティ中に発生することができる（例えば、特定の）イベントのトリガに基づくことができる。
【０１１３】
ＷＴＲＵは、１つまたは複数のメッセージで、本明細書において説明される情報を送信することができる。例えば、ＷＴＲＵは、ＲＲＣ手順のＭＳＧ３で、および／またはＲＲＣ手順の後のメッセージで、本明細書において説明される情報を送信することができる。ＷＴＲＵは、ＲＲＣ＿ＣＯＮＮＥＣＴＥＤ状態への状態遷移またはエリア更新のためのＲＲＣ手順を実行することができる。ＷＴＲＵは、ＭＳＧ３で、ＳＮ構成の削除のインジケーションを送信することができる。ＷＴＲＵは、構成されたしきい値を上回る品質メトリックを有することができる、（例えば、セルの先に構成されたリストを参照する）セルのビットマップを送信することができる。ＷＴＲＵは、潜在的なセル（例えば、最良の潜在的なＰＳＣｅｌｌ）のセルＩＤまたは他の（例えば、類似の）識別情報を送信することができる。ＷＴＲＵは、例えば、測定値がしきい値を上回る潜在的なＰＳＣｅｌｌが存在しないとき、ヌルＩＤを送信することができる。
【０１１４】
ＷＴＲＵは、ＷＴＲＵがＲＲＣ＿ＩＮＡＣＴＩＶＥ状態にある間に、測定イベント記憶および／または報告を実行するように構成することができる。
【０１１５】
ＷＴＲＵは、ＲＲＣ＿ＣＯＮＮＥＣＴＥＤ状態への遷移中、またはエリア更新中、１つまたは複数の測定を実行するように構成することができる。ＷＴＲＵは、１つまたは複数のＳＮ関連イベントのトリガに基づいて、測定を実行することができる。例えば、ＳＮ関連イベントは、ＲＲＣ＿ＩＮＡＣＴＩＶＥ状態にある間のＷＴＲＵモビリティ中に、トリガすることができる。ＷＴＲＵは、トリガされたイベント（例えば、各イベント）について、例えば、状態遷移またはエリア更新中に、ＮＷに送信されるメッセージングに、１つまたは複数の測定値を含めることができる。
【０１１６】
ＷＴＲＵは、状態遷移またはエリア更新手順（例えば、即時の状態遷移またはエリア更新手順）をトリガすることができる、（例えば、ある）イベントを用いるように構成することができる。ＷＴＲＵは、イベントと関連付けることができる１つまたは複数の関連付けられた測定値の、報告（例えば、最終測定報告）内への包含／追加をトリガすることができる、１つまたは複数のイベントを用いるように構成することができる。報告は、例えば、状態遷移トリガが発生したときに、送信することができる。イベントは、状態遷移なしに、１つまたは複数の測定値の測定報告への追加をもたらすことができる。ＷＴＲＵは、（例えば、そのようなイベントについて）例えば、別のイベントのトリガ時に（例えば、ＷＴＲＵが、潜在的なＰＳＣｅｌｌによって定義することができるエリアから退出し、再入場したときに）、先に追加された測定値をキャンセルまたは除去することができる。
【０１１７】
ＷＴＲＵは、ＳＮ非アクティビティに基づいて、それのＲＲＣコンテキストを変換することができる。
【０１１８】
ＷＴＲＵは、ＳＮへのデータ送信と関連付けることができる、非アクティブタイマを用いるように構成することができる。ＳＮと関連付けられる（例えば、すべての）ＲＲＣコンテキストは、例えば、タイマの満了時に、更新することができ、および／または削除することができる。タイマ（例えば、非アクティブタイマ）は、例えば、ＳＮと関連付けられる（例えば、それとだけ関連付けられる）（例えば、いずれかの）ＤＲＢおよび／またはＳＲＢ（例えば、ＳＣＧ  ＤＲＢ）上において、ＷＴＲＵがデータを送信および／または受信するときに、リセットすることができる。スプリットＤＲＢ（例えば、データがＭＮまたはＳＮに送信されるＤＲＢ）のためのタイマ（例えば、非アクティブタイマ）をリセットすることは、例えば、データの送信のためのＵＬパスを決定するために使用されるルールと同じであることができるルールを条件とすることができる。タイマ（例えば、非アクティブタイマ）をリセットするためのルールは、例えば、ＲＲＣ＿ＣＯＮＮＥＣＴＥＤのためのそれらと同じであることができる。タイマ（例えば、非アクティブタイマ）をリセットするためのルールは、例えば、ＷＴＲＵがＲＲＣ＿ＩＮＡＣＴＩＶＥ状態にある間は、異なることができる。ＷＴＲＵは、ＲＲＣ＿ＩＮＡＣＴＩＶＥ状態にある間に、スプリットベアラ（例えば、あるスプリットベアラ）上において、データをＭＮに送信するように構成することができる。
【０１１９】
ＷＴＲＵは、（例えば、タイマの満了時に）ＷＴＲＵのＤＣコンテキストをシングルコネクティビティコンテキストに変換することができる。ＷＴＲＵは、例えば、以下のうちの１つまたは複数を、すなわち、（例えば、ＤＣ＿Ｉｎａｃｔｉｖｅ＿ＳＩを含む）ＳＮ構成を削除すること、ＳＮと関連付けられたコネクティビティコンテキスト（例えば、任意のコネクティビティコンテキスト）を削除すること、ＳＮモビリティに関連する測定の実行を停止すること、シングルコネクティビティコンテキストを適用することのうちの１つまたは複数を実行することができる。コネクティビティコンテキストは、（例えば、ＷＴＲＵがＲＲＣ＿ＩＮＡＣＴＩＶＥ状態に遷移したとき、またはＷＴＲＵがＤＣを用いるとき）ネットワークによって、例えば、１つもしくは複数の事前定義されたルールおよび／または事前構成に基づいて、導出することができる。
【０１２０】
ＷＴＲＵは、ＲＲＣ＿ＩＮＡＣＴＩＶＥ状態にある間に、ＳＮを介して、データ／制御を送信および／または受信することができる。
【０１２１】
ＲＲＣ＿ＩＮＡＣＴＩＶＥ状態にあるＷＴＲＵは、ＲＲＣ＿ＩＮＡＣＴＩＶＥ状態にとどまっている間に、ＰＳＣｅｌｌからのデータ／ＲＲＣシグナリングを送信および／または受信することができる。ＷＴＲＵは、例えば、ＭＮと限られた動作を実行して、またＳＮと通信することができる間、ＲＲＣ＿ＩＮＡＣＴＩＶＥ状態にとどまることができる。例えば、データ／ＲＲＣシグナリングが、ＳＮレッグ（SN leg）上において（例えば、ＳＮレッグ上においてのみ）アンカおよび送信されるＤＲＢ／ＳＲＢと関連付けられるとき、ＷＴＲＵは、（例えば、有利であることができる）ＲＲＣ＿ＩＮＡＣＴＩＶＥ状態にとどまることができる。
【０１２２】
ＷＴＲＵは、例えば、別のセル（例えば、ＳＮ）からのＤＬデータ受信をトリガするために、セル（例えば、ＭＮ）を介して、ページングメッセージを受信することができる。
【０１２３】
ＷＴＲＵは、例えば、ＳＮにおいてＤＬデータ受信を開始するために、ＭＮからページングメッセージを受信することができる。ページングメッセージは、ＷＴＲＵがＲＲＣ＿ＩＮＡＣＴＩＶＥ状態にある間に、ＷＴＲＵによって受信することができる。ＷＴＲＵは、ＷＴＲＵがＲＲＣ＿ＩＮＡＣＴＩＶＥ状態にとどまっている間に、（例えば、ＭＮからページングメッセージを受信したことに基づいて）ＳＮからＤＬデータを受信することができる。ページングメッセージは、例えば、以下のうちの１つまたは複数、すなわち、ＷＴＲＵ  ＩＤ、（例えば、ＤＬデータを受信するための）ＰＳＣｅｌｌのセルＩＤ、（例えば、ＤＬデータを受信するための）ＰＳＣｅｌｌのビーム情報（例えば、ビームＩＤ）、ＲＲＣ＿ＩＮＡＣＴＩＶＥにとどまっている間に、ＷＴＲＵがＳＮからＤＬデータを受信することができる旨のインジケーション、（例えば、ＤＬデータ受信のためにＷＴＲＵによって使用される）Ｃ−ＲＮＴＩ、（例えば、必要とされるアクセス、もしくはページング送信の後のＰＳＣｅｌｌ上におけるＤＬデータ受信までの）時間オフセット、および／または（例えば、ＰＳＣｅｌｌを介したデータ送信もしくは制御チャネル監視の）時間持続のうちの１つまたは複数を示す、情報を含むことができる。時間持続は、例えば、以下のうちの１つまたは複数として、すなわち、時間の絶対期間、フレーム／サブフレーム／スロット／ミニスロットの数、送信される（例えば、任意の与えられたレイヤにおける）ＰＤＵの数などのうちの１つまたは複数として、測定することができる。ページングメッセージは、ＰＳＣｅｌｌ／ＳＣｅｌｌに対するアップリンクタイミング差を含むことができる。ＷＴＲＵは、（例えば、ＳＮを介してＵＬデータを送信するとき）ＵＬ送信のために、ＰＳＣｅｌｌ／ＳＣｅｌｌに対するアップリンクタイミング差を使用することができる。ページングメッセージは、ＷＴＲＵがＳＮへのＵＬ送信のために使用することができる、示されたＰＳＣｅｌｌ／ＳＣｅｌｌ内に、アップリンクグラントを含めることができる。ページングメッセージは、（例えば、ネットワークによって示された、またはＷＴＲＵによって選択された）ＳＮセルのためのランダムアクセス手順中に、ＰＳＣｅｌｌ／ＳＣｅｌｌ（例えば、ＳＮセル）において使用される、競合なしランダムアクセスパラメータを含むことができる。そのようなパラメータは、構成されたＳＣＧリスト内のセル（例えば、すべてのセル）に共通であることができ、またはＳＣＧリスト内の個々のセルに対応するそのようなパラメータのリストは、送信することができる。
【０１２４】
ＷＴＲＵは、セルからページングメッセージを受信し、別のセル上においてデータおよび／または制御情報を有効化するための、１つまたは複数のアクションを実行することができる。例えば、ページングメッセージの受信に成功したとき、ＷＴＲＵは、以下のうちの１つまたは複数を、すなわち、例えば、アップリンクタイミングアライメントおよび／もしくはＰＳＣｅｌｌに対する送信／受信のためのビーム情報を獲得するために、および／またはＤＬデータをその上で送信すべきＰＳＣｅｌｌについてＮＷに通知するために、１つまたは複数のＰＳＣｅｌｌに対するＲＡＣＨ手順またはＲＡＣＨ様手順を開始すること、（例えば、ＲＲＣ＿ＩＮＡＣＴＩＶＥ状態にとどまっている間に、ページングメッセージで、またはＲＡＣＨ手順で、ＳＮに提供することができる、Ｃ−ＲＮＴＩを使用して）制御チャネルの監視を開始すること、ならびに／あるいはＭＮとの（例えば、ＲＲＣ＿ＣＯＮＮＥＣＴＥＤ状態への遷移を含むことができる）再開手順を開始することのうちの１つまたは複数を実行することができる。以下のうちの１つまたは複数を適用することができる。ページングメッセージにおいて示されるＳＮセルが、ＳＣＧリスト内の最良の測定されたセルでないとき、またはＳＮが、あるしきい値を下回る品質を有するとき、ＷＴＲＵは、ＭＮとの再開手順を開始することができる。ＷＴＲＵが、ＳＣＧリスト内において、しきい値（例えば、品質しきい値および／または測定結果しきい値）を上回るいかなるセルも測定することができないとき、ＷＴＲＵは、ＭＮとの再開手順を開始することができる。ＳＮセルに対する初期ＲＡＣＨ手順またはＲＡＣＨ様手順が、失敗したとき、ＷＴＲＵは、ＭＮとの再開手順を開始することができる。ＷＴＲＵが、時間の指定されたまたは構成された期間の間に、ＤＬ  ＳＮセルのいずれかの上で、Ｃ−ＲＮＴＩを含むＤＬメッセージを受信しないとき、ＷＴＲＵは、ＭＮとの再開手順を開始することができる。ＷＴＲＵが、ＳＮセルのＤＬ制御チャネルを監視している間に、ＷＴＲＵが、ＵＬデータ（例えば、一定の量もしくはサイズよりも大きく、および／または特定の遅延もしくは信頼性特性を有する、ＵＬデータ）を受け取ったとき、ＷＴＲＵは、ＭＮとの再開手順を開始することができる。
【０１２５】
ＷＴＲＵは、構成された、事前構成された、および／または定義された時間オフセットを仮定すること、受け取ること、および／または決定することができる。例えば、時間オフセットは、ＷＴＲＵがＰＣｅｌｌ上においてページングメッセージを受信したときと、ＷＴＲＵがＰＳＣｅｌｌへのＲＡＣＨ送信を実行したとき、および／またはＷＴＲＵがＰＳＣｅｌｌ制御チャネルを監視するときとの間の時間であることができる。
【０１２６】
ＷＴＲＵは、本明細書において説明されるアクションを、１つまたは複数の潜在的なＰＳＣｅｌｌに対して、同時に実行することができる。ＷＴＲＵは、ネットワークによって構成することができる、リスト（例えば、ＳＣＧリスト）内の１つまたは複数（例えば、すべて）のＰＳＣｅｌｌ上の制御チャネルを監視することができる。ＷＴＲＵは、さらなるＤＬデータをどのＰＳＣｅｌｌ上において送信すべきかを、ネットワークに通知することができる。ＷＴＲＵは、例えば、データ受信の後（例えば、最初の肯定応答の送信中にだけ）さらなるＤＬデータをどのＰＳＣｅｌｌ上において送信すべきかを、ネットワークに通知することができる。
【０１２７】
ＷＴＲＵは、ＷＴＲＵがＤＬデータをＳＮから受信すべきであることを示すページングメッセージを受信することができる。ＷＴＲＵは、使用する特定のセルを選択する（例えば、使用するセルをセルのリストから選択する）ことができ、選択されたセルをＮＷに示すことができる。選択されたセルは、ＷＴＲＵによって選択されたセルに対して（例えば、直接的に）ＲＡＣＨ手順を開始することによって、ネットワークに示すことができる。ＷＴＲＵは、Ｃ−ＲＮＴＩをＲＡＣＨ手順から受信することができ、獲得されたＣ−ＲＮＴＩを使用して、ＰＤＣＣＨを監視することができる。
【０１２８】
ＷＴＲＵは、ＷＴＲＵがＤＬデータをＳＮから受信すべきであることを示すページングメッセージを受信することができる。例えば、ページングメッセージは、ＷＴＲＵがその上でデータを受信すべきＤＬセル、ならびに／またはターゲットセル内においてＷＴＲＵによって使用されるＣ−ＲＮＴＩおよびタイミングオフセットを示すことができる。ＷＴＲＵは、ＮＷによって選択されたセルに対してＲＡＣＨを実行する（例えば、直接的に実行する）こと、および／またはＣ−ＲＮＴＩ（例えば、ページングメッセージ内で提供されるＣ−ＲＮＴＩ）を使用して、ＰＤＣＣＨを監視することができる。
【０１２９】
ＷＴＲＵは、ＲＲＣ＿ＩＮＡＣＴＩＶＥ状態にある間に、データ／制御をＳＮに送信することができる。
【０１３０】
ＷＴＲＵは、例えば、ＷＴＲＵへのＵＬデータの到着時に、例えば、最後に構成されたＰＳＣｅｌｌまたは潜在的なＰＳＣｅｌｌへの、データ送信を開始することができる。ＷＴＲＵは、例えば、ＳＣＧベアラのためにデータが到着したときに、ＰＳＣｅｌｌへのデータ送信を開始することができる。ＷＴＲＵは、例えば、ＳＮにおいてアンカすることができるスプリットベアラのためにデータが到着したときに（例えば、スプリットベアラへの送信のために構成されたルールが、ＳＮへのパケットの送信を必要とするときに）、ＰＳＣｅｌｌへのデータ送信を開始することができる。ＷＴＲＵは、以下のうちの１つまたは複数、すなわち、ＳＣＧベアラまたはスプリットベアラ上において送信されるデータの量が、（例えば、構成された）しきい値よりも少ないとき、データが、非ＳＣＧベアラである（例えば、いずれの）ベアラ上においても保留中でないとき、データが、（例えば、データＱｏＳ標識もしくは関連付けられた論理チャネルに基づいて）一定のプライオリティと関連付けられるとき、および／または制御（例えば、ＲＲＣメッセージ）が、ＳＲＢ３上において送信することができる（例えば、通常は送信される）メッセージと関連付けられるときのうちの１つまたは複数に基づいて、（例えば、ＳＮにおいて再開するのではなく）データ送信を開始することを決定することができる。
【０１３１】
ＷＴＲＵは、ＳＮモビリティと関連付けることができる、１つまたは複数のＲＲＣメッセージを（例えば、ＳＲＢ３を介してＳＮに直接的に）送信するように構成することができる。ＷＴＲＵは、例えば、ＲＲＣ＿ＣＯＮＮＥＣＴＥＤ状態に遷移することなく、（例えば、ＳＮに対して直接的に）エリア更新手順を実行することができる。
【０１３２】
ＷＴＲＵは、ＳＮに対するデータの送信および／または再開手順の開始の前に、セキュリティ手順を実行することができる。
【０１３３】
ＷＴＲＵは、ＳＮとのデータ送信および／または再開手順を実行することができる。ＷＴＲＵは、暗号化のための鍵（例えば、暗号化のための新しい鍵）を導出することができる。ＷＴＲＵは、ＳＮに送信されるデータ／制御メッセージの暗号化のための鍵を（そのような送信の前に）使用することができる。ＷＴＲＵは、ＳＮと使用するための鍵導出材料を受信することができる。鍵導出材料は、ＳＮと使用するための国家通訊伝播委員会（ＮＣＣ：National Communications Commission）パラメータ（例えば、ＳＮ−ＮＣＣ）、および／またはセキュリティ鍵カウンタ（例えば、新しいＳＫカウンタ）を含むことができる。ＷＴＲＵは、再開手順中に、および／またはＷＴＲＵがＲＲＣ＿ＩＮＡＣＴＩＶＥ状態に遷移する（例えば、ＭＮによって一時停止されてＲＲＣ＿ＩＮＡＣＴＩＶＥ状態になった）ときに、鍵導出材料を受信することができる。ＷＴＲＵは、鍵導出材料を、ＳＮから直接的に受信することができる。ＷＴＲＵは、鍵導出材料をコンテナで受信することができる。コンテナは、ＷＴＲＵが一時停止メッセージで受信することができる、透過的コンテナを含むことができる。一時停止メッセージは、ＳＮによってＷＴＲＵに提供することができる。例えば、一時停止メッセージは、（例えば、ノード間メッセージングを通して）ＳＮによってＭＮに提供することができ、ＭＮは、ＭＮリリースメッセージ内の透過的コンテナとして、一時停止メッセージをＷＴＲＵに提供することができる。ＷＴＲＵは、ＳＮ鍵導出材料が、ＭＮ鍵導出材料の関数であると仮定することができる。
【０１３４】
本明細書において説明されるように、ＷＴＲＵは、関数に基づいて、ＳＮに送信されるデータ／制御の暗号化のための鍵を導出することができる。以下のうちの１つまたは複数、すなわち、以前の鍵、ＷＴＲＵがデータもしくは制御をそれに送信するもしくは送信したＰＳＣｅｌｌのセルＩＤ、記憶されたＷＴＲＵ  ＩＤ、タイミング情報（例えば、ＳＦＮ、スロット番号など）、新たに導出されたＭＮ鍵、および／またはＭＮから獲得された情報のうちの１つまたは複数が、鍵導出関数への入力および／またはパラメータであることができる。本明細書において説明されるように、ＷＴＲＵは、以前の鍵を使用して、ＳＮに送信されるデータ／制御の暗号化のための鍵を導出することができる。ＷＴＲＵは、以前のＳＮおよび／または以前のＭＮに送信されたデータ／制御のために、以前の鍵（例えば、ＷＴＲＵによって以前に記憶されたセキュリティコンテキスト）を使用することができた。本明細書において説明されるように、ＷＴＲＵは、新たに導出されたＭＮ鍵を使用して、ＳＮに送信されるデータ／制御の暗号化のための鍵を導出することができる。例えば、ＷＴＲＵは、新たに導出されたＭＮ鍵の関数として、新たに導出されるＳＮ鍵を導出することができる。本明細書において説明されるように、ＷＴＲＵは、ＭＮから獲得された情報を使用して、ＳＮに送信されるデータ／制御の暗号化のための鍵を導出することができる。例えば、ＷＴＲＵは、ＭＮとのＲＲＣメッセージ交換の後、情報を獲得することができる。
【０１３５】
ＷＴＲＵは、ＭＮ鍵の導出を可能にするために、および／またはＳＮ鍵の導出のための鍵材料を獲得するために、ＭＮに対するＲＲＣ手順を開始することができる。ＲＲＣ手順は、再開手順に類似することができる。ＲＲＣ手順は、再開要求メッセージを含むことができる。再開要求メッセージは、ＭＮに再開の要求を示すことができる、インジケータまたはフラグを含むことができる。ＷＴＲＵは、再開要求に応答して、一時停止様メッセージをＭＮから受信することができる。メッセージは、ＷＴＲＵにＳＮ鍵材料を提供することができる。メッセージは、ＷＴＲＵが新しいＭＮ鍵を導出することを可能にする情報、および／またはＳＮに適用可能な鍵材料（例えば、ＮＣＣ、ｓｋカウンタ）を含むことができる。ＷＴＲＵは、新しいＭＮ鍵および／または受信された鍵材料の関数として、ＳＮ鍵を導出することができる。
【０１３６】
ＷＴＲＵは、ＳＮとの接続を直接的に再開することができる。ＷＴＲＵは、デュアルコネクティビティで構成することができる。ＲＲＣ＿ＩＮＡＣＴＩＶＥ状態にある間に、ＷＴＲＵは、ＳＮ  ＰＳＣｅｌｌに対して直接的に、再開手順を実行することができる。
【０１３７】
ＷＴＲＵは、１つまたは複数のトリガに基づいて、ＳＮとの再開手順を開始することができる。例えば、ＷＴＲＵは、以下のトリガのうちの１つまたは複数に基づいて、ＳＮとの再開手順を実行することができる。
【０１３８】
ＷＴＲＵは、ＷＴＲＵにおいてＵＬデータがその上で利用可能になることができるＤＲＢに基づいて、ＳＮとの再開手順を実行することができる。例えば、ＷＴＲＵは、ＳＣＧ  ＤＲＢまたはＳＮ終了されるＤＲＢを用いるように構成することができる。ＷＴＲＵは、ＤＲＢのためにＵＬデータが利用可能になったときに、ＳＮに対する再開手順を実行することを決定することができる。ＷＴＲＵは、他のＤＲＢのためにデータが到着したとき、ＭＮ（例えば、ＰＣｅｌｌ）に対する再開手順を実行することができる。ＷＴＲＵは、ＷＴＲＵがスプリットＤＲＢを用いるように構成されるとき、ＳＮに対する再開手順を実行することができる。ＷＴＲＵは、ＷＴＲＵに到着したデータがスプリットＤＲＢのためのものであるとき、ＳＮに対する再開手順を実行することができる。
【０１３９】
ＷＴＲＵは、ページングメッセージに応答して、ＳＮとの再開手順を実行することができる。本明細書において説明されるように、ページングメッセージは、ＳＣＧ  ＤＲＢまたはＳＮ終了されるＤＲＢ上において、ＤＬデータがＷＴＲＵに利用可能であることを示すことができる。
【０１４０】
ＷＴＲＵは、送信のために利用可能になるデータの特性に基づいて、ＳＮとの再開手順を実行することができる。例えば、ＷＴＲＵは、異なるＱｏＳ要件（例えば、ｅＭＢＢ対ＵＲＬＬＣ）を有するデータを受信することができる。ＷＴＲＵは、ＷＴＲＵがＱｏＳ要件をサポートする場合、ＳＮに対して直接的に再開を実行することができる。
【０１４１】
ＷＴＲＵは、ＭＮ上における閉め出しステータスに基づいて、ＳＮとの再開手順を実行することができる。例えば、ＷＴＲＵは、ＭＮに対する再開手順中、（例えば、ＮＷ輻輳のせいで）拒絶されることがある。ＭＮに対する拒絶された再開手順に応答して、ＷＴＲＵは、ＳＮに対する再開手順を試みることができる。
【０１４２】
ＷＴＲＵは、ＰＣｅｌｌ／ＰＳＣｅｌｌの測定に基づいて、ＳＮとの再開手順を実行することができる。ＷＴＲＵは、ＳＮのＤＬセル品質がしきい値を上回るとき、ＳＮに対して直接的に再開手順を実行することができる。また、またはあるいは、ＷＴＲＵは、ＳＮ品質測定値がＭＮ品質測定値よりも良好であるとき、ＳＮに対して直接的に再開手順を実行することができる。例えば、測定値は、ＲＲＣ＿ＩＮＡＣＴＩＶＥ状態にある間、ＷＴＲＵによって維持することができる。
【０１４３】
ＷＴＲＵは、ＷＴＲＵのためにそれについてのＵＬデータが到着したベアラの構成に基づいて、ＳＮとの再開手順を実行することができる。例えば、ＷＴＲＵは、ＷＴＲＵがＳＮを介してルーティングすることができるベアラ（例えば、ＳＣＧベアラまたはスプリットＵＬベアラ）についてのデータを受信したときに、ＳＮに対する再開手順を開始することができる。ＷＴＲＵは、ＷＴＲＵがＳＮを介してルーティングすることができないベアラについてのデータを受信したとき、ＳＮに対する再開手順を開始しないことができる。
【０１４４】
ＷＴＲＵは、鍵材料に基づいて、ＳＮとの再開手順を実行することができる。ＷＴＲＵは、ＷＴＲＵが最後に一時停止されたときに、ＳＮのための鍵材料を用いるように構成することができる。ＷＴＲＵは、ＷＴＲＵが最後に一時停止されたときに、ＷＴＲＵがＳＮのための鍵材料を用いるように構成された場合、ＳＮに対する再開手順を開始することができる。
【０１４５】
ＷＴＲＵは、ベアラを再構成することができる。
【０１４６】
本明細書において説明されるように、ＷＴＲＵは、ＳＮとの再開手順を実行することができる。ＷＴＲＵは、ＭＮの役割を担うことができ、ＳＮは、再開手順の開始時に、および／または再開手順中に、変更される。ＷＴＲＵは、役割の変更に基づいて、ＤＲＢ／ＳＲＢのルーティングを決定することができる。例えば、ＷＴＲＵは、役割の変更の後、データをＭＣＧ  ＤＲＢから以前のＳＮ（例えば、新しいＭＮ）にルーティングすることができる。ＷＴＲＵは、データをＳＣＧ  ＤＲＢから以前のＭＮ（例えば、新しいＳＮ）にルーティングすることができる。ＷＴＲＵのベアラ再構成は、ＳＲＢに適用することができる（例えば、ＳＲＢだけに適用することができる）。例えば、ＳＮは、ＭＮの役割を果たすことができ、ＷＴＲＵは、ＤＲＢのパスが変更されないように、ＤＲＢを再構成することができる。ＷＴＲＵは、ＳＲＢを再構成および／または再配置することができる。例えば、ＷＴＲＵは、（例えば、以前のＭＮを介してルーティングすることができた）ＳＲＢ１を、新しいＭＮ（例えば、以前のＳＮ）にルーティングされるように再構成することができる。ＷＴＲＵは、新しいＭＮへの、再開から開始するＳＲＢ１を再構成することができる。ＷＴＲＵは、ＳＲＢ３を、古いＭＮ（例えば、新しいＳＮ）にルーティングされるように再構成することができる。
【０１４７】
ＷＴＲＵは、ＭＲ−ＤＣ構成を変更することができる。ＷＴＲＵは、ＳＮに対する再開手順中に、ＭＲ−ＤＣ構成を変更することができる。例えば、ＮＧ−ＥＢＤＣ（例えば、ＬＴＥではＭＣＧ、ＮＲではＳＣＧ）内のＷＴＲＵは、ＮＥ−ＤＣ（例えば、ＮＲではＭＣＧ、ＬＴＥではＳＣＧ）を使用するように、自らを再構成することができる。
【０１４８】
ＷＴＲＵは、ＳＣＧのためにより低いレイヤ構成を決定することができる。例えば、ＷＴＲＵは、ＳＣＧのより低いレイヤ（ＰＨＹ、ＭＡＣ、ＲＬＣ）構成をリリースすることができ、ＷＴＲＵがＲＲＣ＿ＩＮＡＣＴＩＶＥ状態に遷移するとき、ベアラ／ＰＤＣＰ構成を維持することができる。より低いレイヤの再構成（例えば、ＲＲＣ＿ＣＯＮＮＥＣＴＥＤ状態への遷移と関連付けられたシグナリングオーバヘッド）は、実行されない（例えば、スキップされる）ことがある。ＷＴＲＵのより低いレイヤは、（例えば、ＷＴＲＵがＳｃｅｌｌにアクセスする必要があるとき）特定のＳＣｅｌｌのために再構成することができる。
【０１４９】
ＷＴＲＵは、シグナリングを介して、ＳＣＧのための事前定義された（例えば、専用）構成を受信することができる。（例えば、ＷＴＲＵがＲＲＣ＿ＩＮＡＣＴＩＶＥ状態にある間）与えられたＳＣｅｌｌにおいて使用することができる、１つまたは複数の構成（例えば、事前定義された専用構成）を、ＷＴＲＵに提供することができる。そのような事前定義された専用構成は、ＰＨＹ、ＭＡＣ、またはＲＬＣレイヤの構成など、より低いレイヤ構成と関連付けることができる。そのような事前定義された専用構成は、ＰＤＣＰおよび／または無線ベアラ構成など、より高いレイヤ構成と関連付けることができる。構成（例えば、各事前定義された構成）は、（例えば、伝達された構成で送信することができる）インデックスと関連付けることができる。ＷＴＲＵは、ＷＴＲＵがＲＲＣ＿ＣＯＮＮＥＣＴＥＤ状態にある間に、ＲＲＣシグナリングを介して、および／またはＷＴＲＵをＲＲＣ＿ＩＮＡＣＴＩＶＥ状態に遷移させるためのＲＲＣシグナリングの一部として、そのような事前定義された専用構成を受信することができる。加えて、またはあるいは、ＷＴＲＵは、直接ＳＲＢ（例えば、ＳＮにおいて構成されたＳＲＢ３）上において、ＲＲＣシグナリングを介して、事前定義された専用構成を受信することができる。ＷＴＲＵが、ＲＲＣ＿ＩＮＡＣＴＩＶＥ状態であるとき、ＷＴＲＵは、与えられたＳＣｅｌｌに適用するための専用構成のインデックスを受信することができ、および／またはＷＴＲＵは、ＷＴＲＵがＲＲＣ＿ＩＮＡＣＴＩＶＥ状態にある間に、いずれかの動作のための関連付けられた構成を、それぞれのＳＮ  ＳＣｅｌｌに適用することができる。ＷＴＲＵは、限定することなく、以下のうちの１つまたは複数のために、すなわち、ＷＴＲＵがＲＲＣ＿ＩＮＡＣＴＩＶＥ状態にとどまっている間のデータ送信、ＳＣｅｌｌに対するＲＡＣＨ手順、測定、および／またはＳＩ受信のために、それぞれの構成をＳＮ  Ｓｃｅｌｌに適用することができる。
【０１５０】
ＷＴＲＵは、ＳＣｅｌｌに対して適用される専用構成を、ＳＣｅｌｌによってブロードキャストすることができるＳＩで受信することができる。ＷＴＲＵは、ＳＣｅｌｌにおいてＳＩを監視することができ、そのセルに対して適用される専用構成を示すことができるインデックスを受信することができる。ＷＴＲＵは、（例えば、ブロードキャストを介して、および／またはオンデマンドで提供される）ＰＣｅｌｌのＳＩで送信されるインデックス／ＳＣｅｌｌペアのリスト内のＳＣｅｌｌに対して適用される専用構成を受信することができる。ＷＴＲＵがＳＣｅｌｌのセット（例えば、ＳＣｅｌｌリスト内のすべてのＳＣｅｌｌ）に適用することができる構成（例えば、単一の構成）を、ＷＴＲＵに提供することができる。
【０１５１】
ＷＴＲＵは、ＳＣｅｌｌのためのデフォルト構成を使用することができる。（例えば、すべてのＳＣｅｌｌにわたる）１つまたは複数のＳＣｅｌｌに対して使用されるデフォルト専用構成を、ＷＴＲＵに提供することができる。デフォルト構成は、ＷＴＲＵにおいて、特定の値を用いて事前構成することができ、またはＭＮにおいて、ＲＲＣシグナリングもしくはＳＩによって提供することができる。デフォルト構成は、ＷＴＲＵがＲＲＣ＿ＩＮＡＣＴＩＶＥ状態にある間の特定の動作（例えば、データ送信、またはタイミングアライメントを獲得するためのＲＡＣＨ手順）に対して（例えば、それらに対してのみ）適用することができ、またＲＲＣ＿ＩＮＡＣＴＩＶＥ状態にある間に送信されたデータの量が、しきい値よりも少ないとき、ならびに／または送信されるデータのタイプが、送信の待ち時間、信頼性、および／もしくはサイズに関連する、ある特性を有するときなど、ある条件下において（例えば、ある条件下においてのみ）適用することができる。デフォルト構成が適用されるとき、ＷＴＲＵは、ＲＲＣ＿ＩＮＡＣＴＩＶＥ状態にある間に、ＳＣｅｌｌにアクセスする（例えば、直接的にアクセスする）ことができる。条件が満たされない場合、ＷＴＲＵは、ＲＲＣ＿ＣＯＮＮＥＣＴＥＤ状態に遷移するための手順を開始することができる。
【０１５２】
ＷＴＲＵは、ＳＣｅｌｌへのアクセスを再開するために、専用構成を獲得することができる。ＷＴＲＵは、ＳＣｅｌｌにおいて使用される（例えば、非デフォルト）専用構成を獲得するために、デフォルト構成（例えば、本明細書において説明されるような、受信されたデフォルト構成）を利用して、ＳＣｅｌｌに対する手順を開始することができる。ＷＴＲＵは、ＲＡＣＨ手順を実行すること、ＲＲＣ＿ＩＮＡＣＴＩＶＥ状態にある間に、ＳＣｅｌｌとＲＲＣメッセージを交換すること、および／またはそのＳＣｅｌｌへのさらなるアクセスのために使用される専用構成を（例えば、シグナリングの一部として）受信することができる。ＷＴＲＵは、受信された非デフォルト（例えば、専用）構成を用いて、（例えば、データ送信のための）ＳＣｅｌｌへの後続のアクセスを実行することができる。
【０１５３】
ＷＴＲＵは、以下のうちの１つまたは複数、すなわち、タイマの満了、受信された非デフォルト構成を無効にすることをＷＴＲＵに命令するページングメッセージの受信、ＭＮと関連付けられた異なるセルに対する再選択、それによって、１つもしくは複数のＳＣｅｌｌが別の１つもしくは複数のＳＣｅｌｌよりも良く／悪くなる、測定関連イベント、ＷＴＲＵがＲＲＣ＿ＣＯＮＮＥＣＴＥＤ状態に遷移したとき、および／またはＲＲＣ＿ＣＯＮＮＥＣＴＥＤ状態に遷移するためのシグナリングの一部など、ＷＴＲＵが受信された非デフォルト構成を無効にすべきことをネットワークが示すことのうちの１つまたは複数の結果として、受信された非デフォルト構成を無効にすることができる。ＷＴＲＵは、専用（非デフォルト）構成の受信時に、構成がそれに対して妥当であることができる（例えば、それに対しても妥当であることができる）ＳＣｅｌｌのリストを受信することができる。
【０１５４】
図２および図３は、ＲＲＣ＿ＩＮＡＣＴＩＶＥ状態にとどまっている間に、ＳＣＧセル上においてＤＬデータを受信するＷＴＲＵと関連付けられた例を例示している。
【０１５５】
図２は、ＷＴＲＵモビリティと関連付けられた例を例示している。図２に例示されるように、ＷＴＲＵは、ＭＣＧベアラおよび／またはＭＮを介して、ネットワーク（例えば、５Ｇ  ＣＮ）と通信することができる。ＷＴＲＵは、ＳＣＧベアラを介して、ネットワークと通信することができる。ＳＣＧベアラは、ＳＮ、ならびに／または１つもしくは複数のＳＣＧセル（例えば、ＳＣＧセルリスト１および／もしくはＳＣＧセルリスト２）と関連付けることができる。図２に例示されるように、ＷＴＲＵは、ＳＣＧリスト（例えば、ＳＣＧセルリスト１）を用いるように構成することができる。ＷＴＲＵは、ＲＲＣ＿ＣＯＮＮＥＣＴＥＤ状態にある間、またはＲＲＣ＿ＣＯＮＮＥＣＴＥＤ状態からＲＲＣ＿ＩＮＡＣＴＩＶＥ状態への遷移中、ＳＣＧリストを用いるように構成することができる。ＷＴＲＵは、ＭＣＧベアラおよび／またはＭＮを介して、ＳＣＧリストを用いるように構成することができる。ＷＴＲＵは、ＷＴＲＵがＳＣＧリスト上のセルのカバレージ（例えば、カバレージ条件）内にとどまっている限り、ＲＲＣ＿ＩＮＡＣＴＩＶＥ状態にある間、動き回る（例えば、モビリティを実行する）ことができる。カバレージ条件は、しきい値（例えば、構成されたしきい値）を上回ると（例えば、品質メトリックを使用して）測定されたＳＣＧリスト上のセルのうちの少なくとも１つを、ＷＴＲＵが有することと定義することができる。ＷＴＲＵが、（例えば、ＳＣＧリスト上のすべてのセルについての品質メトリックが、しきい値を下回ると測定されたことに基づいて）カバレージ条件通りに構成されたリストのカバレージの外に移動したとき、ＷＴＲＵは、ＲＲＣ＿ＣＯＮＮＥＣＴＥＤ状態への遷移を開始することができる。ＷＴＲＵが、ＲＲＣ＿ＣＯＮＮＥＣＴＥＤ状態に遷移したとき、ＷＴＲＵは、新しいＳＣＧリスト（例えば、図２に例示されるような、ＳＣＧセルリスト２）を用いるように構成することができる。新しいＳＣＧリストを受信した後、ＷＴＲＵは、ＲＲＣ＿ＩＮＡＣＴＩＶＥ状態に遷移する（例えば、即座に遷移する）ことができる。
【０１５６】
図３は、ＲＲＣ＿ＩＮＡＣＴＩＶＥ状態にある間に、セルからデータを受信するＷＴＲＵと関連付けられた例を例示している。図３に例示されるように、ＷＴＲＵは、ＭＣＧベアラおよび／またはＭＮを介して、ネットワーク（例えば、５Ｇ  ＣＮ）と通信することができる。ＷＴＲＵは、ＳＣＧベアラを介して、ネットワークと通信することができる。ＳＣＧベアラは、ＳＮ、および／または１つもしくは複数のＳＣＧセルと関連付けることができる。また、またはあるいは、ＳＮは、ＭＮと通信することができる。図３に例示されるように、ＷＴＲＵのためのデータは、ＳＣＧベアラおよび／またはＳＮに到着することができる。ＳＮは、データの到着をＭＮに示すことができる。ＳＣＧ上におけるデータの到着を示すことは、ページングメッセージを送信するように、ＭＮをトリガすることができる。例えば、ページングメッセージは、ＭＣＧを介してＷＴＲＵに送信することができ、および／またはデータがＳＣＧベアラ上においてＷＴＲＵに利用可能であることを示すことができる。ページングメッセージは、ＷＴＲＵが、別のセル（例えば、ＳＣＧリスト上のセル）上において、ＲＡＣＨを実行すべきことを示すことができる。図３に例示されるように、ＷＴＲＵは、例えば、ＲＲＣ＿ＩＮＡＣＴＩＶＥ状態にある間に、ページングメッセージを受信することができる。ページングメッセージの受信時に、ＷＴＲＵは、ＳＣＧリスト（例えば、現在の構成されたＳＣＧリスト）からセルを選択することができる。例えば、ＷＴＲＵは、ＳＣＧリスト内の最良のセルを決定し、選択することができる。そのような決定時に、ＷＴＲＵは、選択されたセルに対してＲＡＣＨ手順を実行し、ＲＡＣＨ手順中にデータを受信することができ（例えば、ＭＳＧ４）、および／またはＲＡＣＨ手順の後の別の時間に、（例えば、時間のある期間の間に、選択されたセルのＰＤＣＣＨをデコードすることによって）データを受信することができる。
【０１５７】
非アクティブ状態においてデュアルコネクティビティ（ＤＣ）を運用するための、システム、方法、および手段が、開示された。ＩＮＡＣＴＩＶＥ状態に適用可能なＤＣ構成のためのシステム情報（ＳＩ）を提供することができる。無線送受信ユニット（ＷＴＲＵ）は、ＲＲＣ＿ＣＯＮＮＥＣＴＥＤに遷移すること、またはＩＮＡＣＴＩＶＥ状態ＤＣ構成において、例えば、潜在的なプライマリセカンダリセル（ＰＳＣｅｌｌ）のリストに対して、例えば、セカンダリノード（ＳＮ）モビリティ関連トリガに基づいて、エリア更新手順を実行することができる。手順は、潜在的なＰＳＣｅｌｌのリストに関連する測定イベントをサポートすることができる。ＷＴＲＵは、例えば、状態遷移またはエリア更新中、ＳＮ関連測定情報、およびコンテキスト更新／削除についてのインジケーションを報告することができる。ＷＴＲＵは、ＳＮからの（例えば、直接的な）ダウンリンク（ＤＬ）データ送信を開始することができる、ページングを受信することができる。ＷＴＲＵは、ＲＲＣ＿ＩＮＡＣＴＩＶＥにある間に、制御／データ（例えば、関連付けられたトリガ条件）を、ＳＮに（例えば、直接的に）送信することができる。
【０１５８】
本明細書において説明されるプロセスおよび手段は、任意の組み合わせで適用することができ、他の無線技術に、また他のサービスに対して適用することができる。
【０１５９】
ＷＴＲＵは、物理的デバイスのアイデンティティ、またはサブスクリプション関連のアイデンティティ（識別）、例えば、ＭＳＩＳＤＮ、ＳＩＰ  ＵＲＩなど、ユーザのアイデンティティを指すことがある。ＷＴＲＵは、アプリケーションベースのアイデンティティ、例えば、アプリケーションごとに使用することができるユーザ名を指すことがある。
【０１６０】
本明細書において説明されるコンピューティングシステムの各々は、実行可能命令を有するように構成されたメモリを有する１つもしくは複数のコンピュータプロセッサ、または本明細書において説明されるパラメータを決定すること、ならびに説明される機能を達成するために、エンティティ（例えば、ＷＴＲＵとネットワーク）間においてメッセージを送信および受信することを含む、本明細書において説明される機能を達成するためのハードウェアを有することができる。
【０１６１】
上で説明されたプロセスは、コンピュータおよび／またはプロセッサによって実行される、コンピュータ可読媒体内に含まれる、コンピュータプログラム、ソフトウェア、および／またはファームウェアで実施することができる。コンピュータ可読媒体の例は、限定されることなく、（有線および／もしくは無線接続上において送信される）電子信号、ならびに／またはコンピュータ可読記憶媒体を含む。コンピュータ可読記憶媒体の例は、限定されることなく、リードオンリメモリ（ＲＯＭ）、ランダムアクセスメモリ（ＲＡＭ）、レジスタ、キャッシュメモリ、半導体メモリデバイス、限定されることなく内蔵ハードディスクおよびリムーバブルディスクなどの磁気媒体、光磁気媒体、ならびに／またはＣＤ−ＲＯＭディスクおよび／もしくはデジタル多用途ディスク（ＤＶＤ）などの光媒体を含む。ソフトウェアと関連付けられたプロセッサを使用して、ＷＴＲＵ、端末、基地局、ＲＮＣ、および／または任意のホストコンピュータにおいて使用される、無線周波数送受信機を実施することができる。
【図１Ａ】
2021503222.tif 000006
【図１Ｂ】
2021503222.tif 000007
【図１Ｃ】
2021503222.tif 000008
【図１Ｄ】
2021503222.tif 000009
【図２】
2021503222.tif 000010
【図３】
2021503222.tif 000011
【手続補正書】
【提出日】令和2年7月14日(2020.7.14)
【手続補正１】
【補正対象書類名】特許請求の範囲
【補正対象項目名】全文
【補正方法】変更
【補正の内容】
【特許請求の範囲】
【請求項１】
無線送受信ユニット（ＷＴＲＵ）であって、
前記ＷＴＲＵが非アクティブモードにある間に、メッセージを受信し、前記メッセージは、セル上での測定を実行することに関連付けられたパラメータを含んでおり、
条件が満たされていることに基づいて、前記ＷＴＲＵが前記非アクティブモードにある間に、前記パラメータに基づいて前記セル上での前記測定を実行し、
前記セル上での前記実行された測定を送信するかどうかを決定し、
前記セル上での前記実行された測定を送信する決定に基づいて、前記ＷＴＲＵが前記非アクティブモードから接続モードに遷移する間に、前記測定をネットワークへ送信する
よう構成されたプロセッサ
を備えたＷＴＲＵ。
【請求項２】
前記測定を実行する前記セルは、セカンダリセルグループ（ＳＣＧ）セルを含む請求項１に記載のＷＴＲＵ。
【請求項３】
前記満たされる条件は、タイマーが満了していないことを含む請求項１に記載のＷＴＲＵ。
【請求項４】
前記プロセッサは、前記タイマーが満了した条件で、前記セル上での前記測定を停止するよう構成された請求項３に記載のＷＴＲＵ。
【請求項５】
前記満たされる条件は、前記ＷＴＲＵがエリア内に留まっていることを含む請求項１に記載のＷＴＲＵ。
【請求項６】
前記プロセッサは、前記ＷＴＲＵが前記エリアから離れた条件で、前記セル上での前記測定を停止するよう構成された請求項５に記載のＷＴＲＵ。
【請求項７】
前記パラメータは、セル帯域幅、参照信号（ＲＳ）の構成、測定構成、イベント構成、プライマリセル（ＰＣｅｌｌ）に関連付けられた情報、または、前記測定を実行するセカンダリセルグループ（ＳＣＧ）セルのリストの内の１つ以上を含む請求項１に記載のＷＴＲＵ。
【請求項８】
前記メッセージは、システム情報（ＳＩ）またはシステム情報ブロック（ＳＩＢ）メッセージを含む請求項１に記載のＷＴＲＵ。
【請求項９】
前記非アクティブモードはＲＲＣ＿ＩＮＡＣＴＩＶＥ状態を含み、前記接続モードはＲＲＣ＿ＣＯＮＮＥＣＴＥＤ状態を含む請求項１に記載のＷＴＲＵ。
【請求項１０】
無線送受信ユニット（ＷＴＲＵ）が非アクティブモードにある間に、メッセージを受信するステップであって、前記メッセージは、セル上での測定を実行することに関連付けられたパラメータを含んでいる、ステップと、
条件が満たされていることに基づいて、前記ＷＴＲＵが前記非アクティブモードにある間に、前記パラメータに基づいて前記セル上での前記測定を実行するステップと、
前記セル上での前記実行された測定を送信するかどうかを決定するステップと、
前記セル上での前記実行された測定を送信する決定に基づいて、前記ＷＴＲＵが前記非アクティブモードから接続モードに遷移する間に、前記測定をネットワークへ送信するステップと
を備える方法。
【請求項１１】
前記測定を実行する前記セルは、セカンダリセルグループ（ＳＣＧ）セルを含む請求項１０に記載の方法。
【請求項１２】
前記満たされる条件は、タイマーが満了していないことを含み、
前記タイマーが満了した条件で、前記セル上での前記測定を停止するステップ
をさらに備える請求項１０に記載の方法。
【請求項１３】
前記満たされる条件は、前記ＷＴＲＵがエリア内に留まっていることを含み、
前記ＷＴＲＵが前記エリアから離れた条件で、前記セル上での前記測定を停止するステップ
をさらに備える請求項１０に記載の方法。
【請求項１４】
前記パラメータは、セル帯域幅、参照信号（ＲＳ）の構成、測定構成、イベント構成、プライマリセル（ＰＣｅｌｌ）に関連付けられた情報、または、前記測定を実行するセカンダリセルグループ（ＳＣＧ）セルのリストの内の１つ以上を含む請求項１０に記載の方法。
【請求項１５】
前記メッセージは、システム情報（ＳＩ）またはシステム情報ブロック（ＳＩＢ）メッセージを含み、
前記非アクティブモードはＲＲＣ＿ＩＮＡＣＴＩＶＥ状態を含み、前記接続モードはＲＲＣ＿ＣＯＮＮＥＣＴＥＤ状態を含む請求項１０に記載の方法。
【国際調査報告】
2021503222.tif 000012
2021503222.tif 000013